(57)【特許請求の範囲】
【請求項１】
コンピュータに実装される、原油又は石油留分を含む試料の化学組成をキャラクタリゼーションする方法であって、プロセッサにより、
（ｉ）前記試料の分子レベル分析データを含むか又は前記試料の分子レベル分析データおよび伝統的な分析データの両方を含む、分析データを受け取る過程であって、（１）前記分子レベル分析データは、ガスクロマトグラフィーデータおよび質量分析法データのうちの少なくとも１つを含み、（２）前記伝統的な分析データは、蒸留曲線データ、密度曲線データ、硫黄曲線データ、塩基性窒素曲線データ、総窒素曲線データ、ＣＨ比曲線データ、全酸価曲線データ、ＰＩＯＮＡ（パラフィン群、イソパラフィン群、オレフィン群、ナフテン群および芳香族群）分曲線データ、粘度曲線データ、ニッケル分曲線データ、およびバナジウム分曲線データのうちの少なくとも１つを含む、過程と、
（ｉｉ）ａ）前記試料の前記分子レベル分析データに基づいて、絶対的な化合物組成を設定し、ｂ）前記分子レベル分析データの少なくとも一部に基づいて、第１の化合物群および第１の化合物群重量、第１の概念的セグメントタイプ、ならびに第１のセグメント分布を設定し、かつ、前記試料の前記伝統的な分析データを受け取っている場合に、ｃ）当該伝統的な分析データの少なくとも一部に基づいて、第２の化合物群および第２の化合物群重量、第２の概念的セグメントタイプ、ならびに第２のセグメント分布を設定する過程と、
（ｉｉｉ）ａ）前記設定された絶対的な化合物組成である絶対的な化合物組成を決定し、ｂ）前記分子レベル分析データの少なくとも一部に基づいて設定された、前記第１のセグメント分布および前記第１の化合物群重量を表す第１のセグメント分布値から第１の化合物組成を決定し、かつ、前記試料の前記伝統的な分析データを受け取っている場合に、ｃ）当該伝統的な分析データに基づいて設定された、前記第２のセグメント分布および前記第２の化合物群重量を表す第２のセグメント分布パラメータから第２の化合物組成を決定する過程と、
（ｉｖ）ａ）前記絶対的な化合物組成，ｂ）前記第１の化合物組成および、前記試料の前記伝統的な分析データを受け取っている場合に、ｃ）前記第２の化合物組成を調和させることにより、調和済みの化合物組成を決定する過程と、
（ｖ）前記調和済みの化合物組成を、原油または石油留分を含む前記試料の前記化学組成のキャラクタリゼーション結果である洗練化された化合物組成として決定し、受け取った前記分子レベル分析データが定性的な分子レベル分析データを含むものである場合、前記洗練化された化合物組成について求められた物理的特性および／または化学的特性が受け取った対応する分析データと合致するまで前記第１の化合物群重量を調節し、かつ、受け取った分析データが前記伝統的な分析データを含むものである場合、前記洗練化された化合物組成について求められた物理的特性および／または化学的特性が受け取った対応する分析データと合致するまで前記第２の化合物群重量および前記第２のセグメント分布パラメータを調節する過程と、
を備える、方法。
【請求項２】
請求項１に記載の方法において、前記絶対的な化合物組成が絶対的な信号群組成であり、前記第１の化合物組成が第１の信号群組成であり、前記第２の化合物組成が第２の信号群組成であり、前記化合物組成が信号群組成である、方法。
【請求項３】
請求項１または２に記載の方法において、前記分子分析データが、ガスクロマトグラフィー質量分析法（ＧＣ−ＭＳ）データ、ガスクロマトグラフィー時間飛行型質量分析法（ＧＣ−ＴｏＦ）データ、またはフーリエ変換イオンサイクロトロン共鳴型質量分析法（ＦＴ  ＩＣＲ−ＭＳ）データを含む、方法。
【請求項４】
請求項１または２に記載の方法において、前記分子分析データが、ガスクロマトグラフィー質量分析法（ＧＣ−ＭＳ）データ、ガスクロマトグラフィー時間飛行型質量分析法（ＧＣ−ＴｏＦ）データ、またはフーリエ変換イオンサイクロトロン共鳴型質量分析法（ＦＴ  ＩＣＲ−ＭＳ）データである、方法。
【請求項５】
請求項１から４のいずれか一項に記載の方法において、前記ＦＴ  ＩＣＲ−ＭＳデータが、大気圧光イオン化法（ＡＰＰＩ）ＦＴ  ＩＣＲ−ＭＳデータ、エレクトロスプレー負イオン化法（ＥＳＩ−）ＦＴ  ＩＣＲ−ＭＳデータ、またはエレクトロスプレー陽イオン化法（ＥＳＩ＋）ＦＴ  ＩＣＲ−ＭＳデータである、方法。
【請求項６】
請求項１から５のいずれか一項に記載の方法において、前記ＧＣ−ＭＳデータが、水素炎イオン化検出器ガスクロマトグラフィー（ＧＣ−ＦＩＤ）データである、方法。
【請求項７】
請求項１から６のいずれか一項に記載の方法において、前記分子レベル分析データがＧＣ−ＭＳデータを含み、当該方法が、さらに、
前記ＧＣ−ＭＳデータに基づいて、化合物ライブラリから純粋化合物を選択する過程、
を備える、方法。
【請求項８】
請求項１から７のいずれか一項に記載の方法において、ＧＣ−ＭＳデータから、化合物の素性および前記絶対的な化合物組成が決定される、方法。
【請求項９】
請求項１から８のいずれか一項に記載の方法において、前記分子レベル分析データが直接的なデータを含み、当該方法は、さらに、
（１）前記直接的なデータに基づいて、化合物ライブラリから純粋化合物を選択する過程と、
（２）絶対的な化合物組成を設定する過程と、
（３）絶対的な化合物組成を算出する過程と、
を備える、方法。
【請求項１０】
請求項１から９のいずれか一項に記載の方法において、前記分子レベル分析データがＧＣ−ＴｏＦデータを含み、当該方法は、さらに、
ＧＣ−ＴｏＦ信号強度データ、および／または、ＧＣ−ＴｏＦデータから導き出された炭素数、および／または、ＧＣ−ＴｏＦデータから導き出された二重結合当量（ＤＢＥ）を、所定の分布に変換する過程であって、前記所定の分布がセグメント数の離散整数値での同セグメントの確率を表す分布である過程、
を備える、方法。
【請求項１１】
請求項１から１０のいずれか一項に記載の方法において、さらに、
ＧＴ−ＴｏＦデータから求められた所定の分布に基づいて、第１の化合物群重量、第１の概念的セグメントタイプ、および第１のセグメント分布を設定する過程であって、前記所定の分布がセグメント数の離散整数値での同セグメントの確率を表す分布である過程、
を備える、方法。
【請求項１２】
請求項１から１１のいずれか一項に記載の方法において、さらに、
ＧＣ−ＴｏＦデータから導き出された化合物群重量、ＧＣ−ＴｏＦデータから導き出されたセグメントタイプ、およびＧＣ−ＴｏＦデータから導き出されたセグメント分布値から、ＧＣ−ＴｏＦベースの化合物組成を決定する過程、
を備える、方法。
【請求項１３】
請求項１から１２のいずれか一項に記載の方法において、前記第１の化合物組成が、ＧＣ−ＴｏＦデータから決定された化合物組成、つまり、ＧＣ−ＴｏＦベースの化合物組成を含む、方法。
【請求項１４】
請求項１２または１３に記載の方法において、前記ＧＣ−ＴｏＦベースの化合物組成が、前記洗練化された化合物組成の、受け取った対応する分析データと比べての物理的特性および／または化学的特性の違いに基づいて調節されない、方法。
【請求項１５】
請求項１から１４のいずれか一項に記載の方法において、前記分子レベル分析データが定量的な分子レベル分析データを含み、当該方法は、さらに、
（１）前記定量的な分子レベル分析データから導き出された信号強度データ、および／または、定量的な分子レベル分析データから導き出された炭素数、および／または、定量的な分子レベル分析データから導き出された二重結合当量（ＤＢＥ）を、所定の分布に変換する過程と、
（２）前記定量的な分子レベル分析データから求められた所定の分布に基づいて、第１の化合物群重量、第１の概念的セグメントタイプ、および第１のセグメント分布を設定する過程と、
（３）定量的な分子レベル分析データから導き出された化合物群重量、定量的な分子レベル分析データから導き出されたセグメントタイプ、および定量的な分子レベル分析データから導き出されたセグメント分布値から、化合物組成を算出する過程と、
を備え、前記所定の分布がセグメント数の離散整数値での同セグメントの確率を表す分布である、方法。
【請求項１６】
請求項１から１５のいずれか一項に記載の方法において、前記分子レベル分析データがＦＴ  ＩＣＲ−ＭＳデータを含み、当該方法は、さらに、
ＦＴ  ＩＣＲ−ＭＳ信号強度データ、および／または、ＦＴ  ＩＣＲ−ＭＳから導き出された式、および／または、ＦＴ  ＩＣＲ−ＭＳから導き出された炭素数、および／または、ＦＴ  ＩＣＲ−ＭＳから導き出された二重結合当量（ＤＢＥ）を、所定の分布および／またはガンマ分布および／または一様なセグメント分布に変換する過程、
を備える、方法。
【請求項１７】
請求項１から１６のいずれか一項に記載の方法において、さらに、
ＦＴ  ＩＣＲ−ＭＳデータから導き出された所定の分布および／またはガンマ分布および／または一様なセグメント分布に基づいて、前記第１の化合物群重量、前記第１の概念的セグメントタイプ、および前記第１のセグメント分布を設定する過程、
を備え、前記所定の分布がセグメント数の離散整数値での同セグメントの確率を表す分布である、方法。
【請求項１８】
請求項１から１７のいずれか一項に記載の方法において、さらに、
ＦＴ  ＩＣＲ−ＭＳデータから導き出された化合物群重量、ＦＴ  ＩＣＲ−ＭＳデータから導き出されたセグメントタイプ、ならびにＦＴ  ＩＣＲ−ＭＳデータから導き出されたセグメント分布値および／またはセグメント分布パラメータから、ＦＴ  ＩＣＲ−ＭＳベースの化合物組成を決定する過程、
を備える、方法。
【請求項１９】
請求項１から１８のいずれか一項に記載の方法において、前記分子レベル分析データが定性的な分子レベル分析データを含み、当該方法は、さらに、
（１）前記定性的な分子レベル分析データから導き出された信号強度データ、および／または、定性的な分子レベル分析データから導き出された式、および／または、定性的な分子レベル分析データから導き出された炭素数、および／または、定性的な分子レベル分析データから導き出された二重結合当量（ＤＢＥ）を、所定の分布および／またはガンマ分布および／または一様なセグメント分布に変換する過程と、
（２）定性的な分子レベル分析データから導き出された所定の分布および／またはガンマ分布および／または一様なセグメント分布に基づいて、第１の化合物群重量、第１の概念的セグメントタイプ、および第１のセグメント分布を設定する過程と、
（３）定性的な分子レベル分析データから導き出された化合物群重量、定性的な分子レベル分析データから導き出されたセグメントタイプ、ならびに定性的な分子レベル分析データから導き出されたセグメント分布値および／またはセグメント分布パラメータから、化合物組成を算出する過程と、
を備え、前記所定の分布がセグメント数の離散整数値での同セグメントの確率を表す分布である、方法。
【請求項２０】
請求項１から１９のいずれか一項に記載の方法において、前記第１の化合物組成が、ＦＴ  ＩＣＲ−ＭＳデータから決定された化合物組成、つまり、ＦＴ  ＩＣＲ−ＭＳベースの化合物組成を含む、方法。
【請求項２１】
請求項１８または２０に記載の方法において、前記ＦＴ  ＩＣＲ−ＭＳベースの化合物組成が、前記洗練化された化合物組成の、受け取った対応する分析データと比べての物理的特性および／または化学的特性の違いに基づいて調節される、方法。
【請求項２２】
請求項１から２１のいずれか一項に記載の方法において、前記第１の化合物組成がＦＴ  ＩＣＲ−ＭＳベースの化合物組成であり、前記第２の化合物組成が前記伝統的な分析データから決定される、方法。
【請求項２３】
請求項２２に記載の方法において、前記洗練化された化合物組成について求められた物理的特性および／または化学的特性が受け取った対応する分析データと合致するまで、前記ＦＴ  ＩＣＲ−ＭＳベースの化合物組成および前記第２の化合物組成のみが調節される、方法。
【請求項２４】
請求項１から２３のいずれか一項に記載の方法において、受け取った前記分析データが、前記伝統的な分析データを含む、方法。
【請求項２５】
請求項１から２４のいずれか一項に記載の方法において、前記第１および／または第２の化合物群が、互いに独立して、パラフィン群、ナフテン群、芳香族群、オレフィン群、メルカプタン群、１個の硫黄原子を有するチオフェン・スルフィド群、２個の硫黄原子を有するチオフェン・スルフィド群、スルホキシド群、硫黄−酸素群、１個のピロールを有する中性窒素群、２個のピロール窒素を有する中性窒素群、中性窒素−硫黄群、中性窒素−酸素群、１個のピリジンを有する塩基性窒素群、ピリジンと別のピリジン又はピロールを有する塩基性窒素群、塩基性窒素−硫黄群、塩基性窒素−酸素群、フェノール群、パラフィン酸群、芳香族酸・ナフテン酸群、ニッケルポルフィリン群、およびバナジウムポルフィリン群のうちの少なくとも１つを含む、方法。
【請求項２６】
請求項１から２５のいずれか一項に記載の方法において、前記第１および／または第２の化合物群が、パラフィン群、ナフテン群、芳香族群、オレフィン群、メルカプタン群、１個の硫黄原子を有するチオフェン・スルフィド群、２個の硫黄原子を有するチオフェン・スルフィド群、スルホキシド群、硫黄−酸素群、１個のピロールを有する中性窒素群、２個のピロール窒素を有する中性窒素群、中性窒素−硫黄群、中性窒素−酸素群、１個のピリジンを有する塩基性窒素群、ピリジンと別のピリジン又はピロールを有する塩基性窒素群、塩基性窒素−硫黄群、塩基性窒素−酸素群、フェノール群、パラフィン酸群、芳香族酸・ナフテン酸群、ニッケルポルフィリン群、およびバナジウムポルフィリン群を含む、方法。
【請求項２７】
請求項２５または２６に記載の方法において、前記パラフィン群の概念的セグメントタイプが、総炭素数、一分岐メチレン、および二分岐メチレンを含む、方法。
【請求項２８】
請求項２５または２６に記載の方法において、前記ナフテン群の概念的セグメントタイプが、総炭素数、ナフテン側環、および六員環−対−五員環のモル比を含む、方法。
【請求項２９】
請求項２５または２６に記載の方法において、前記芳香族群の概念的セグメントタイプが、総炭素数、芳香族側環、およびナフテン側環を含む、方法。
【請求項３０】
請求項１から２９のいずれか一項に記載の方法において、前記分子レベル分析データが、前記試料全体から得られたものである、方法。
【請求項３１】
請求項１から３０のいずれか一項に記載の方法において、前記分子レベル分析データが、前記試料の少なくとも１つのカットから得られたものである、方法。
【請求項３２】
請求項１から３１のいずれか一項に記載の方法において、さらに、
原油又は石油留分を含む前記試料の前記化学組成の前記キャラクタリゼーション結果を出力する過程、
を備える、方法。
【請求項３３】
請求項１から３２のいずれか一項に記載の方法において、ＦＴ  ＩＣＲ−ＭＳデータと前記伝統的な分析データとを受け取る、方法。
【請求項３４】
請求項１から３３のいずれか一項に記載の方法において、ＧＣ−ＭＳデータ、ＧＣ−ＴｏＦデータ、ＦＴ  ＩＣＲ−ＭＳデータ、および前記伝統的な分析データのうちの少なくとも２つを受け取る、方法。
【請求項３５】
請求項１から３４のいずれか一項に記載の方法において、ＧＣ−ＭＳデータ、ＧＣ−ＴｏＦデータ、ＦＴ  ＩＣＲ−ＭＳデータ、および前記伝統的な分析データのうちの少なくとも３つを受け取る、方法。
【請求項３６】
請求項１から３５のいずれか一項に記載の方法において、ＧＣ−ＭＳデータとＧＣ−ＴｏＦデータとＦＴ  ＩＣＲ−ＭＳデータと前記伝統的な分析データとを受け取る、方法。
【請求項３７】
請求項１から３６のいずれか一項に記載の方法において、定性的な分子レベル分析データと前記伝統的な分析データとを受け取る、方法。
【請求項３８】
請求項１から３７のいずれか一項に記載の方法において、直接的な分析データ、定量的な分子レベル分析データ、定性的な分子レベル分析データ、および前記伝統的な分析データのうちの少なくとも２つを受け取る、方法。
【請求項３９】
請求項１から３８のいずれか一項に記載の方法において、直接的な分析データ、定量的な分子レベル分析データ、定性的な分子レベル分析データ、および前記伝統的な分析データのうちの少なくとも３つを受け取る、方法。
【請求項４０】
請求項１から３９のいずれか一項に記載の方法において、直接的な分析データと定量的な分子レベル分析データと定性的な分子レベル分析データと前記伝統的な分析データとを受け取る、方法。
【請求項４１】
請求項１から４０のいずれか一項に記載の方法において、さらに、
前記試料の物理的特性又は化学的特性を、当該試料の前記化学組成の前記キャラクタリゼーションの関数として推定する過程、
を備える、方法。
【請求項４２】
請求項４１に記載の方法において、前記試料の、推定される前記物理的特性が、標準沸点、液体密度、液体粘度、コンラドソン残留炭素、リサーチ法オクタン価、モーター法オクタン価、セタン価、およびリード蒸気圧のうちの少なくとも１つを含む、方法。
【請求項４３】
請求項４１に記載の方法において、前記試料の化学的特性を推定する過程が、硫黄分、塩基性窒素分、総窒素分、炭素分、水素分、ＣＨ比、ニッケル分、バナジウム分、酸素分、パラフィン分、イソパラフィン分、オレフィン分、ナフテン分、および芳香族分を含む、化学式，化学構造および化学組成を算出することを含む、方法。
【請求項４４】
請求項１から４３のいずれか一項に記載の方法において、前記伝統的な分析データを受け取る、方法。
【請求項４５】
請求項１から４４のいずれか一項に記載の方法において、さらに、
モデル化合物のライブラリを用意する過程、
を備える、方法。
【請求項４６】
請求項４５に記載の方法において、さらに、
モデル化合物の前記ライブラリからの１つ又は複数のモデル化合物に対して信号群を割り当てる過程、
を備える、方法。
【請求項４７】
請求項１から４４のいずれか一項に記載の方法において、さらに、
モデル化合物のライブラリからの１つ又は複数のモデル化合物に対して信号群を割り当てる過程、
を備える、方法。
【請求項４８】
請求項４６または４７に記載の方法において、モデル化合物の前記ライブラリからの、一つの信号群に該当する前記モデル化合物同士が、同じ化合物群、同じ炭素数および同じ二重結合当量を有する、方法。
【請求項４９】
請求項１から４８のいずれか一項に記載の方法において、前記試料が、ｉ）１〜１００の様々な炭素数とｉｉ）０〜５０の様々な二重結合当量数とを有する化合物を含む、方法。
【請求項５０】
請求項１から４９のいずれか一項に記載の方法において、受け取った前記分子レベル分析データが、直接的なデータを含み、当該方法は、さらに、
前記直接的なデータに基づいて、一つのモデル化合物を、特定の一つの信号群に割り当てる過程、
を備える、方法。
【請求項５１】
請求項１から５０のいずれか一項に記載の方法において、受け取った前記分子レベル分析データが、直接的な集合データを含み、当該方法は、さらに、
前記直接的な集合データに基づいて、同じ化合物群及び同じ炭素数である複数のモデル化合物を、一つの信号群に割り当てる過程、
を備える、方法。
【請求項５２】
請求項１から５１のいずれか一項に記載の方法において、受け取った前記分子レベル分析データが定量的な分子レベル分析データを含み、当該方法は、さらに、
前記定量的な分子レベル分析データに基づいて、同じ化合物群、同じ炭素数及び同じ二重結合当量である複数のモデル化合物を、一つの信号群に割り当てる過程、
を備える、方法。
【請求項５３】
請求項１から５２のいずれか一項に記載の方法において、受け取った前記分析データが定性的な分子レベル分析データを含み、当該方法は、さらに、
前記定性的な分子レベル分析データの少なくとも一部を表すのに所定の分布が用いられた場合、当該データに基づいて、同じ化合物群、同じ炭素数及び同じ二重結合当量である複数のモデル化合物を、一つの信号群に割り当てる過程と、
前記定性的な分子レベル分析データの少なくとも一部を表すのにガンマ分布又は一様な分布が用いられた場合、当該データに基づいて、同じ化合物群、同じ炭素数、同じ一分岐メチレン数、同じ二分岐メチレン数、同じ芳香族側環数及び同じナフテン側環数である複数のモデル化合物を、一つの信号群に割り当てる過程と、
を備え、前記所定の分布がセグメント数の離散整数値での同セグメントの確率を表す分布である、方法。
【請求項５４】
請求項１から５３のいずれか一項に記載の方法において、受け取った前記分析データが前記伝統的な分析データを含み、当該方法は、さらに、
前記伝統的な分析データに基づいて、同じ化合物群、同じ炭素数、同じ一分岐メチレン数、同じ二分岐メチレン数、同じ芳香族側環数及び同じナフテン側環数である複数のモデル化合物を、一つの信号群に割り当てる過程、
を備える、方法。
【請求項５５】
請求項１から５４のいずれか一項に記載の方法において、一つ又は複数のモデル化合物を一つの信号群に割り当てる過程にて、直接的なデータは直接的な集合データよりも優先度が高く、直接的な集合データは定量的な分子レベル分析データよりも優先度が高く、定量的な分子レベルデータは定性的な分子レベル分析データよりも優先度が高く、定性的な分子レベル分析データは前記伝統的な分析データよりも優先度が高く、モデル化合物を信号群に各自割り当てることのできる様々な優先度の分析データが存在している場合、モデル化合物を信号集団に割り当てるのには、最も高い優先度の分析データが用いられる、方法。
【請求項５６】
請求項１から５５のいずれか一項に記載の方法において、受け取った前記分子レベル分析データが、直接的なデータを含み、当該方法は、さらに、
前記直接的なデータに基づいて、第１のモデル化合物を第１の信号群に割り当てる過程、
を備える、方法。
【請求項５７】
請求項１から５６のいずれか一項に記載の方法において、受け取った前記分子レベル分析データが、直接的な集合データを含み、当該方法は、さらに、
前記直接的な集合データに基づいて、複数のモデル化合物を、直接的なデータに基づくモデル化合物の振当てが行われていない信号群へと割り当てる過程であって、これらのモデル化合物は、同じ化合物群及び同じ炭素数の信号群へと割り当てられる、過程、
を備える、方法。
【請求項５８】
請求項１から５７のいずれか一項に記載の方法において、受け取った前記分子レベル分析データが定量的な分子レベル分析データを含み、当該方法は、さらに、
前記定量的な分子レベル分析データに基づいて、複数のモデル化合物を、直接的なデータ及び直接的な集合データのいずれに基づいてもモデル化合物の振当てが行われていない信号群へと割り当てる過程であって、これらのモデル化合物は、同じ化合物群、同じ炭素数及び同じ二重結合当量の信号群へと割り当てられる、過程、
を備える、方法。
【請求項５９】
請求項１から５８のいずれか一項に記載の方法において、受け取った前記分子レベル分析データが定性的な分子レベル分析データを含み、当該方法は、さらに、
前記定性的な分子レベル分析データの少なくとも一部を表すのに所定の分布が用いられた場合、当該定性的な分子レベル分析データに基づいて、複数のモデル化合物を、直接的なデータ、直接的な集合データ及び定量的な分子レベル分析データのいずれに基づいてもモデル化合物の振当てが行われていない信号群へと割り当てる過程であって、これらのモデル化合物は、同じ化合物群、同じ炭素数及び同じ二重結合当量の信号群へと割り当てられる、過程と、
前記定性的な分子レベル分析データに基づいて、同じ化合物群、同じ炭素数、同じ一分岐メチレン数、同じ二分岐メチレン数、同じ芳香族側環数及び同じナフテン側環数である複数のモデル化合物を、直接的なデータ、直接的な集合データ、定量的な分子レベル分析データ、及び前記定性的な分子レベル分析データのうちの所定の分布を用いた少なくとも一部のいずれに基づいてもモデル化合物の振当てが行われていない信号群へと割り当てる過程と、
を備え、前記所定の分布がセグメント数の離散整数値での同セグメントの確率を表す分布である、方法。
【請求項６０】
請求項１から５９のいずれか一項に記載の方法において、受け取った前記分析データが前記伝統的な分析データを含み、当該方法は、さらに、
前記伝統的な分析データに基づいて、複数のモデル化合物を、直接的なデータ、直接的な集合データ、定量的な分子レベル分析データ及び定性的な分子レベル分析データのいずれに基づいてもモデル化合物の振当てが行われていない信号群へと割り当てる過程であって、これらのモデル化合物は、同じ化合物群、同じ炭素数、同じ一分岐メチレン数、同じ二分岐メチレン数、同じ芳香族側環数及び同じナフテン側環数の信号群へと割り当てられる、過程、
を備える、方法。
【請求項６１】
請求項１から６０のいずれか一項に記載の方法において、さらに、
前記試料のカットに属する信号群内における構成化合物の構造密度指数を表した確率分布関数を用いて、信号群内の化合物組成を算出する過程、
を備える、方法。
【請求項６２】
請求項１から６１のいずれか一項に記載の方法において、さらに、
前記試料の全信号群内における構成化合物の構造密度指数を表した確率分布関数を用いて、信号群内の化合物組成を算出する過程、
を備える、方法。
【発明の詳細な説明】
【関連出願】
【０００１】
本出願は、2017年4月24日付出願の米国仮特許出願第62/489,087号の利益を主張する。上記出願の全教示内容は、参照をもって本明細書に取り入れたものとする。
【背景技術】
【０００２】
原油は、自然界に存在する複雑な物質であり、地理学的場所、ソースロック、油層の年代及び深度、ならびに生産に応じて、密度、揮発性、粘度、硫黄分、窒素分、金属分などの特性が大いに異なり得る。原油は、極めて多数の様々な分子種で構成されている。異なる原油は、異なる種類及び量の分子（すなわち、異なる組成）を含有する。ＡｓｐｅｎＴｅｃｈ社は、過去に、分子キャラクタリゼーション法を用いて原油の組成や特性を表す方法を開発した。2018年4月3日付発行の特許文献１“Method of Characterizing Chemical Composition Of Crude Oil For Petroleum Processing（石油精製のために原油の化学組成をキャラクタリゼーションする方法）”、および2016年2月18日付出願の特許文献２“Method To Represent Metal Content In Crude Oils, Reactor Feedstocks, And Reactor Products（原油、リアクター原料及びリアクター生成物中の金属分を表す方法）”を参照のこと。これらの全体は、参照をもって本明細書に取り入れたものとする。
【０００３】
従来の方法は、原油の分子分布を推定するのに、蒸留曲線（例えば、ＴＢＰ曲線等）、密度曲線、硫黄曲線、ＰＮＡ分析などの伝統的な分析データを利用する。これらの方法は当時の技術水準からの格別かつ大幅な進歩であるものの、分子分布の解として、用意された分析データにいずれも同等に適合することのできる複数の解が生じる可能性がある。分子分布は、その性質として、反応速度、反応経路などのプロセス計算や、セタン価、ＲＯＮ、粘度などの物理的特性に関わる数多くの変数に強い影響を及ぼし得る。
【先行技術文献】
【特許文献】
【０００４】
【特許文献１】米国特許第９９３４３６７号明細書
【特許文献２】米国特許出願公開第２０１６／０１６２６６４号明細書
【発明の概要】
【発明が解決しようとする課題】
【０００５】
したがって、原油の実際の分子分布に最も適合する分子分布解を見つけ出す必要がある。
【課題を解決するための手段】
【０００６】
本明細書で説明する方法により得られる分子プロファイルは、原油や原料の組成及び特性を表すのに用いる化合物の分子分布として、向上した分子分布をもたらす。この向上した分布は、原油試料や原料試料についての実験データにより良く合致することができる。原料試料とは、製油所の蒸留塔からリアクターなどの別のユニットに供給される生成物や、原油の蒸留留分である石油留分のことを指す。本文献では、原料と石油留分とを同義的に用いる。
【０００７】
本発明の第１の実施形態は、コンピュータに実装される、原油又は石油留分を含む試料の化学組成をキャラクタリゼーションする方法である。当該方法は、プロセッサにより、（ｉ）前記試料の分子レベル分析データを含むか又は前記試料の分子レベル分析データと伝統的な分析データとを含む、分析データを受け取る過程と、（ｉｉ）ａ）前記試料の前記分子レベル分析データに基づく絶対的な化合物組成を、かつ／あるいは、ｂ）前記分子レベル分析データの少なくとも一部に基づいて、第１の化合物群および第１の化合物群重量、第１の概念的セグメントタイプ、ならびに第１のセグメント分布を、かつ／あるいは、ｃ）前記試料の前記伝統的な分析データを受け取っていれば、当該伝統的な分析データの少なくとも一部に基づいて、第２の化合物群および第２の化合物群重量、第２の概念的セグメントタイプ、ならびに第２のセグメント分布を、設定する過程と、（ｉｉｉ）ａ）絶対的な化合物組成を、かつ／あるいは、ｂ）前記分子レベルデータの少なくとも一部に基づいて設定された、前記第１のセグメント分布を表す第１のセグメント分布値と第１の化合物群重量とから第１の化合物組成を、かつ／あるいは、ｃ）前記試料の前記伝統的な分析データを受け取っていれば、当該伝統的な分析データに基づいて設定された、前記第２のセグメント分布を表す第２のセグメント分布パラメータと第２の化合物群重量とから第２の化合物組成を、決定する過程と、（ｉｖ）ａ）前記絶対的な化合物組成および／またはｂ）前記第１の化合物組成および／またはｃ）第２の化合物組成を調和させることにより、調和済みの化合物組成を得る過程と、（ｖ）前記分子レベル分析データが定性的な分子レベル分析データおよび／または伝統的な分析データを含むものである場合、前記調和済みの化合物組成について求められた物理的特性および／または化学的特性が受け取った対応する分析データと合致するまで第１の化合物群重量、第２の化合物群重量、およびセグメント分布パラメータを調節することにより、洗練化された化合物組成を得る過程と、を備え、これによって前記試料の前記化学組成のキャラクタリゼーション結果を形成する。
【０００８】
第１の実施形態の一側面において、前記分子分析データは、ガスクロマトグラフィー質量分析法（ＧＣ−ＭＳ）データ、ガスクロマトグラフィー時間飛行型質量分析法（ＧＣ−ＴｏＦ）データ、またはフーリエ変換イオンサイクロトロン共鳴型質量分析法（ＦＴ  ＩＣＲ−ＭＳ）データを含む。
【０００９】
第１の実施形態の他の側面または先行する側面同士の任意の組合せにおいて、前記分子分析データは、ガスクロマトグラフィー質量分析法（ＧＣ−ＭＳ）データ、ガスクロマトグラフィー時間飛行型質量分析法（ＧＣ−ＴｏＦ）データ、またはフーリエ変換イオンサイクロトロン共鳴型質量分析法（ＦＴ  ＩＣＲ−ＭＳ）データである。
【００１０】
第１の実施形態のさらなる他の側面、先行する任意の側面、または先行する側面同士の任意の組合せにおいて、前記ＦＴ  ＩＣＳ−ＭＳデータは、大気圧光イオン化法（ＡＰＰＩ）ＦＴ−ＩＣＲ  ＭＳデータ、エレクトロスプレー負イオン化法（ＥＳＩ−）ＦＴ−ＩＣＲ  ＭＳデータ、またはエレクトロスプレー陽イオン化法（ＥＳＩ＋）ＦＴ−ＩＣＲ  ＭＳデータである。
【００１１】
第１の実施形態のさらなる他の側面、先行する任意の側面、または先行する側面同士の任意の組合せにおいて、前記ＧＣ−ＭＳデータは、水素炎イオン化検出器ガスクロマトグラフィー（ＧＣ−ＦＩＤ）データである。
【００１２】
第１の実施形態のさらなる他の側面、先行する任意の側面、または先行する側面同士の任意の組合せにおいて、前記分子レベルデータはＧＣ−ＭＳデータを含み、前記方法が、さらに、前記ＧＣ−ＭＳデータに基づいて、化合物ライブラリから純粋化合物を選択する過程、を備える。
【００１３】
第１の実施形態のさらなる他の側面、先行する任意の側面、または先行する側面同士の任意の組合せでは、ＧＣ−ＭＳデータから、化合物の素性および絶対的な化合物組成が決定される。
【００１４】
第１の実施形態のさらなる他の側面、先行する任意の側面、または先行する側面同士の任意の組合せにおいて、前記分子レベルデータはＧＣ−ＴｏＦデータを含み、前記方法が、さらに、ＧＣ−ＴｏＦ信号強度データ、および／または、ＧＣ−ＴｏＦデータから導き出された炭素数、および／または、ＧＣ−ＴｏＦデータから導き出されたＤＢＥを、Ａｓｐｅｎ分布に変換する過程、を備える。
【００１５】
第１の実施形態のさらなる他の側面、先行する任意の側面、または先行する側面同士の任意の組合せにおいて、前記方法は、さらに、ＧＴ−ＴｏＦデータから求められたＡｓｐｅｎ分布に基づいて、第１の化合物群重量、第１の概念的セグメントタイプ、および第１のセグメント分布を設定する過程、を備える。
【００１６】
第１の実施形態のさらなる他の側面、先行する任意の側面、または先行する側面同士の任意の組合せにおいて、前記方法は、さらに、ＧＣ−ＴｏＦデータから導き出された化合物群重量、ＧＣ−ＴｏＦデータから導き出されたセグメントタイプ、およびＧＣ−ＴｏＦデータから導き出されたセグメント分布値から、ＧＣ−ＴｏＦベースの化合物組成を決定する過程、を備える。
【００１７】
第１の実施形態のさらなる他の側面、先行する任意の側面、または先行する側面同士の任意の組合せにおいて、前記第１の化合物組成は、ＧＣ−ＴｏＦデータから決定された化合物組成、つまり、ＧＣ−ＴｏＦベースの化合物組成を含む。
【００１８】
第１の実施形態のさらなる他の側面、先行する任意の側面、または先行する側面同士の任意の組合せにおいて、前記ＧＣ−ＴｏＦベースの化合物組成は、前記調和済みの化合物組成の、受け取った対応する分析データと比べての物理的特性および／または化学的特性の違いに基づいて調節されない。
【００１９】
第１の実施形態のさらなる他の側面、先行する任意の側面、または先行する側面同士の任意の組合せにおいて、前記分子レベルデータは定量的な分子レベル分析データを含み、前記方法が、さらに、（１）前記定量的な分子レベル分析データから導き出された信号強度データ、および／または、定量的な分子レベル分析データから導き出された炭素数、および／または、定量的な分子レベル分析データから導き出されたＤＢＥを、Ａｓｐｅｎ分布に変換する過程と、（２）前記定量的な分子レベル分析データから求められたＡｓｐｅｎ分布に基づいて、第１の化合物群重量、第１の概念的セグメントタイプ、および第１のセグメント分布を設定する過程と、（３）定量的な分子レベル分析データから導き出された化合物群重量、定量的な分子レベル分析データから導き出されたセグメントタイプ、および定量的な分子レベル分析データから導き出されたセグメント分布値から、化合物組成を算出する過程と、を備える。
【００２０】
第１の実施形態のさらなる他の側面、先行する任意の側面、または先行する側面同士の任意の組合せにおいて、前記分子レベルデータはＦＴ−ＩＣＲ−ＭＳデータを含み、前記方法が、さらに、ＦＴ−ＩＣＲ−ＭＳ信号強度データ、および／または、ＦＴ−ＩＣＲ−ＭＳから導き出された式、および／または、ＦＴ−ＩＣＲ−ＭＳから導き出された炭素数、および／または、ＦＴ−ＩＣＲ−ＭＳから導き出されたＤＢＥを、Ａｓｐｅｎ分布および／またはガンマ分布および／または一様なセグメント分布に変換する過程、を備える。
【００２１】
第１の実施形態のさらなる他の側面、先行する任意の側面、または先行する側面同士の任意の組合せにおいて、前記方法は、さらに、ＦＴ−ＩＣＲ−ＭＳデータから導き出されたＡｓｐｅｎ分布および／またはガンマ分布および／または一様なセグメント分布に基づいて、前記第１の化合物群重量、前記第１の概念的セグメントタイプ、および前記第１のセグメント分布を設定する過程、を備える。
【００２２】
第１の実施形態のさらなる他の側面、先行する任意の側面、または先行する側面同士の任意の組合せにおいて、前記方法は、さらに、ＦＴ  ＩＣＲ−ＭＳデータから導き出された化合物群重量、ＦＴ  ＩＣＲ−ＭＳデータから導き出されたセグメントタイプ、ならびにＦＴ  ＩＣＲ−ＭＳデータから導き出されたセグメント分布値および／またはセグメント分布パラメータから、ＦＴ  ＩＣＲ−ＭＳベースの化合物組成を決定する過程、を備える。本側面のうちの特定の側面において、前記ＦＴ  ＩＣＲ−ＭＳベースの化合物組成は、前記調和済みの化合物組成の、受け取った対応する分析データと比べての物理的特性および／または化学的特性の違いに基づいて調節される。
【００２３】
第１の実施形態のさらなる他の側面、先行する任意の側面、または先行する側面同士の任意の組合せにおいて、前記分子レベルデータは定性的な分子レベル分析データを含み、前記方法が、さらに、（１）前記定性的な分子レベル分析データから導き出された信号強度データ、および／または、定性的な分子レベル分析データから導き出された式、および／または、定性的な分子レベル分析データから導き出された炭素数、および／または、定性的な分子レベル分析データから導き出されたＤＢＥを、Ａｓｐｅｎ分布および／またはガンマ分布および／または一様なセグメント分布に変換する過程と、（２）定性的な分子レベル分析データから導き出されたＡｓｐｅｎ分布および／またはガンマ分布および／または一様なセグメント分布に基づいて、第１の化合物群重量、第１の概念的セグメントタイプ、および第１のセグメント分布を設定する過程と、（３）定性的な分子レベル分析データから導き出された化合物群重量、定性的な分子レベル分析データから導き出されたセグメントタイプ、ならびに定性的な分子レベル分析データから導き出されたセグメント分布値および／またはセグメント分布パラメータから、化合物組成を算出する過程と、を備える。
【００２４】
第１の実施形態のさらなる他の側面、先行する任意の側面、または先行する側面同士の任意の組合せにおいて、前記第１の化合物組成は、ＦＴ  ＩＣＲ−ＭＳデータから決定された化合物組成、つまり、ＦＴ  ＩＣＲ−ＭＳベースの化合物組成を含む。本側面のうちの特定の側面において、前記ＦＴ  ＩＣＲ−ＭＳベースの化合物組成は、前記調和済みの化合物組成の、受け取った対応する分析データと比べての物理的特性および／または化学的特性の違いに基づいて調節される。
【００２５】
第１の実施形態のさらなる他の側面、先行する任意の側面、または先行する側面同士の任意の組合せにおいて、前記第１の化合物組成はＦＴ  ＩＣＲ−ＭＳベースの化合物組成であり、前記第２の化合物組成が伝統的な分析データから決定される。
【００２６】
第１の実施形態のさらなる他の側面、先行する任意の側面、または先行する側面同士の任意の組合せでは、前記調和済みの化合物組成について求められた物理的特性および／または化学的特性が受け取った対応する分析データと合致するまで、前記ＦＴ  ＩＣＲ−ＭＳベースの化合物組成および前記第２の化合物組成のみが調節される。
【００２７】
第１の実施形態のさらなる他の側面、先行する任意の側面、または先行する側面同士の任意の組合せにおいて、受け取った前記分析データは、伝統的な分析データを含む。
【００２８】
第１の実施形態のさらなる他の側面、先行する任意の側面、または先行する側面同士の任意の組合せにおいて、前記伝統的な分析データは、蒸留曲線データ、密度曲線データ、硫黄曲線データ、塩基性窒素曲線データ、総窒素曲線データ、ＣＨ比曲線データ、全酸価曲線データ、ＰＩＯＮＡ分曲線データ、粘度曲線データ、ニッケル分曲線データ、およびバナジウム分曲線データのうちの少なくとも１つを含む。
【００２９】
第１の実施形態のさらなる他の側面、先行する任意の側面、または先行する側面同士の任意の組合せにおいて、前記第１および第２の化合物群は、互いに独立して、パラフィン群、ナフテン群、芳香族群、オレフィン群、メルカプタン群、１個の硫黄原子を有するチオフェン・スルフィド群、２個の硫黄原子を有するチオフェン・スルフィド群、スルホキシド群、硫黄−酸素群、１個のピロールを有する中性窒素群、２個のピロール窒素を有する中性窒素群、中性窒素−硫黄群、中性窒素−酸素群、１個のピリジンを有する塩基性窒素群、ピリジンと別のピリジン又はピロールを有する塩基性窒素群、塩基性窒素−硫黄群、塩基性窒素−酸素群、フェノール群、パラフィン酸群、芳香族酸・ナフテン酸群、ニッケルポルフィリン群、およびバナジウムポルフィリン群のうちの少なくとも１つを含む。
【００３０】
第１の実施形態のさらなる他の側面、先行する任意の側面、または先行する側面同士の任意の組合せにおいて、前記第１および第２の化合物群は、パラフィン群、ナフテン群、芳香族群、オレフィン群、メルカプタン群、１個の硫黄原子を有するチオフェン・スルフィド群、２個の硫黄原子を有するチオフェン・スルフィド群、スルホキシド群、硫黄−酸素群、１個のピロールを有する中性窒素群、２個のピロール窒素を有する中性窒素群、中性窒素−硫黄群、中性窒素−酸素群、１個のピリジンを有する塩基性窒素群、ピリジンと別のピリジン又はピロールを有する塩基性窒素群、塩基性窒素−硫黄群、塩基性窒素−酸素群、フェノール群、パラフィン酸群、芳香族酸・ナフテン酸群、ニッケルポルフィリン群、およびバナジウムポルフィリン群を含む。
【００３１】
第１の実施形態のさらなる他の側面、先行する任意の側面、または先行する側面同士の任意の組合せにおいて、前記パラフィン群の概念的セグメントタイプは、総炭素数、一分岐メチレン、および二分岐メチレンを含む。
【００３２】
第１の実施形態のさらなる他の側面、先行する任意の側面、または先行する側面同士の任意の組合せにおいて、前記ナフテン群の概念的セグメントタイプは、総炭素数、ナフテン側環、および六員環−対−五員環のモル比を含む。
【００３３】
第１の実施形態のさらなる他の側面、先行する任意の側面、または先行する側面同士の任意の組合せにおいて、前記芳香族群の概念的セグメントタイプは、総炭素数、芳香族側環、およびナフテン側環を含む。
【００３４】
第１の実施形態のさらなる他の側面、先行する任意の側面、または先行する側面同士の任意の組合せにおいて、前記分子レベルデータは、前記試料全体から得られたものである。
【００３５】
第１の実施形態のさらなる他の側面、先行する任意の側面、または先行する側面同士の任意の組合せにおいて、前記分子レベルデータは、前記試料の少なくとも１つのカットから得られたものである。
【００３６】
第１の実施形態のさらなる他の側面、先行する任意の側面、または先行する側面同士の任意の組合せにおいて、前記方法は、さらに、原油又は石油留分を含む前記試料の前記化学組成の前記キャラクタリゼーション結果を出力する過程、を備える。
【００３７】
第１の実施形態のさらなる他の側面、先行する任意の側面、または先行する側面同士の任意の組合せにおいて、前記試料は、原油または石油留分である。
【００３８】
第１の実施形態のさらなる他の側面、先行する任意の側面、または先行する側面同士の任意の組合せでは、ＦＴ  ＩＣＲ−ＭＳデータと伝統的なデータとを受け取る。
【００３９】
第１の実施形態のさらなる他の側面、先行する任意の側面、または先行する側面同士の任意の組合せでは、ＧＣ−ＭＳデータ、ＧＣ−ＴｏＦデータ、ＦＴ  ＩＣＲ−ＭＳデータ、および伝統的な分析データのうちの少なくとも２つを受け取る。
【００４０】
第１の実施形態のさらなる他の側面、先行する任意の側面、または先行する側面同士の任意の組合せでは、ＧＣ−ＭＳデータ、ＧＣ−ＴｏＦデータ、ＦＴ  ＩＣＲ−ＭＳデータ、および伝統的な分析データのうちの少なくとも３つを受け取る。
【００４１】
第１の実施形態のさらなる他の側面、先行する任意の側面、または先行する側面同士の任意の組合せでは、ＧＣ−ＭＳデータとＧＣ−ＴｏＦデータとＦＴ  ＩＣＲ−ＭＳデータと伝統的な分析データとを受け取る。
【００４２】
第１の実施形態のさらなる他の側面、先行する任意の側面、または先行する側面同士の任意の組合せでは、定性的な分子レベル分析データと伝統的な分析データとを受け取る。
【００４３】
第１の実施形態のさらなる他の側面、先行する任意の側面、または先行する側面同士の任意の組合せでは、直接的な分析データ、定量的な分子レベル分析データ、定性的な分子レベル分析データ、および伝統的な分析データのうちの少なくとも２つを受け取る。
【００４４】
第１の実施形態のさらなる他の側面、先行する任意の側面、または先行する側面同士の任意の組合せでは、直接的な分析データ、定量的な分子レベル分析データ、定性的な分子レベル分析データ、および伝統的な分析データのうちの少なくとも３つを受け取る。
【００４５】
第１の実施形態のさらなる他の側面、先行する任意の側面、または先行する側面同士の任意の組合せでは、直接的な分析データと定量的な分子レベル分析データと定性的な分子レベル分析データと伝統的な分析データとを受け取る。
【００４６】
第１の実施形態のさらなる他の側面、先行する任意の側面、または先行する側面同士の任意の組合せにおいて、前記方法は、さらに、前記試料の物理的特性又は化学的特性を、当該試料の、キャラクタリゼーションされた前記化学組成の関数として推定する過程、を備える。
【００４７】
第１の実施形態のさらなる他の側面、先行する任意の側面、または先行する側面同士の任意の組合せにおいて、前記試料の、推定される前記物理的特性は、標準沸点、液体密度、液体粘度、コンラドソン残留炭素、リサーチ法オクタン価、モーター法オクタン価、セタン価、およびリード蒸気圧のうちの少なくとも１つを含む。
【００４８】
第１の実施形態のさらなる他の側面、先行する任意の側面、または先行する側面同士の任意の組合せにおいて、前記試料の化学的特性を推定する過程は、化学式から、硫黄分、塩基性窒素分、総窒素分、炭素分、水素分、ＣＨ比、ニッケル分、バナジウム分、酸素分、パラフィン分、イソパラフィン分、オレフィン分、ナフテン分、および芳香族分を含む、化学構造および化学組成を算出することを含む。
【００４９】
第１の実施形態のさらなる他の側面、先行する任意の側面、または先行する側面同士の任意の組合せでは、伝統的な分析データを受け取る。
【００５０】
第１の実施形態のさらなる他の側面、先行する任意の側面、または先行する側面同士の任意の組合せにおいて、前記方法は、さらに、モデル化合物のライブラリを用意する過程、を備える。
【００５１】
第１の実施形態のさらなる他の側面、先行する任意の側面、または先行する側面同士の任意の組合せにおいて、前記方法は、さらに、モデル化合物の前記ライブラリからの１つ又は複数のモデル化合物に対して信号群を割り当てる過程、を備える。
【００５２】
第１の実施形態のさらなる他の側面、先行する任意の側面、または先行する側面同士の任意の組合せにおいて、前記方法は、さらに、モデル化合物のライブラリからの１つ又は複数のモデル化合物に対して信号群を割り当てる過程、を備える。
【００５３】
第１の実施形態のさらなる他の側面、先行する任意の側面、または先行する側面同士の任意の組合せにおいて、モデル化合物の前記ライブラリからの、一つの信号群に該当する前記モデル化合物同士が、同じ化合物群、同じ炭素数および同じ二重結合当量を有する。
【００５４】
第１の実施形態のさらなる他の側面、先行する任意の側面、または先行する側面同士の任意の組合せにおいて、前記試料は、ｉ）１〜１００の様々な炭素数とｉｉ）０〜５０の様々な二重結合当量数とを有する化合物を含む。
【００５５】
第１の実施形態のさらなる他の側面、先行する任意の側面、または先行する側面同士の任意の組合せにおいて、受け取った前記分析データは、直接的なデータを含む分子レベル分析データを含み、前記方法が、さらに、前記直接的なデータに基づいて、一つのモデル化合物を、特定の一つの信号群に割り当てる過程、を備える。
【００５６】
第１の実施形態のさらなる他の側面、先行する任意の側面、または先行する側面同士の任意の組合せにおいて、受け取った前記分析データは、直接的な集合データを含む分子レベル分析データを含み、前記方法が、さらに、前記直接的な集合データに基づいて、同じ化合物群及び同じ炭素数である複数のモデル化合物を、一つの信号群に割り当てる過程、を備える。
【００５７】
第１の実施形態のさらなる他の側面、先行する任意の側面、または先行する側面同士の任意の組合せにおいて、受け取った前記分析データは定量的な分子レベル分析データを含み、前記方法が、さらに、前記定量的な分子レベル分析データに基づいて、同じ化合物群、同じ炭素数及び同じ二重結合当量である複数のモデル化合物を、一つの信号群に割り当てる過程、を備える。
【００５８】
第１の実施形態のさらなる他の側面、先行する任意の側面、または先行する側面同士の任意の組合せにおいて、受け取った前記分析データは定性的な分子レベル分析データを含み、前記方法が、さらに、前記定性的な分子レベル分析データの少なくとも一部を表すのにＡｓｐｅｎ分布が用いられた場合、当該データに基づいて、同じ化合物群、同じ炭素数及び同じ二重結合当量である複数のモデル化合物を、一つの信号群に割り当てる過程と、前記定性的な分子レベル分析データの少なくとも一部を表すのにガンマ分布又は一様な分布が用いられた場合、当該データに基づいて、同じ化合物群、同じ炭素数、同じ一分岐メチレン数、同じ二分岐メチレン数、同じ芳香族側環数及び同じナフテン側環数である複数のモデル化合物を、一つの信号群に割り当てる過程と、を備える。
【００５９】
第１の実施形態のさらなる他の側面、先行する任意の側面、または先行する側面同士の任意の組合せにおいて、受け取った前記分析データは伝統的な分析データを含み、前記方法が、さらに、前記伝統的な分析データに基づいて、同じ化合物群、同じ炭素数、同じ一分岐メチレン数、同じ二分岐メチレン数、同じ芳香族側環数及び同じナフテン側環数である複数のモデル化合物を、一つの信号群に割り当てる過程、を備える。
【００６０】
第１の実施形態のさらなる他の側面、先行する任意の側面、または先行する側面同士の任意の組合せにおいて、一つ又は複数のモデル化合物を一つの信号群に割り当てる過程にて、直接的なデータは直接的な集合データよりも優先度が高く、直接的な集合データは定量的な分子レベル分析データよりも優先度が高く、定量的な分子レベルデータは定性的な分子レベル分析データよりも優先度が高く、定性的な分子レベル分析データは伝統的な分析データよりも優先度が高く、モデル化合物を信号群に各自割り当てることのできる様々な優先度の分析データが存在している場合、モデル化合物を信号集団に割り当てるのには、最も高い優先度の分析データが用いられる。
【００６１】
第１の実施形態のさらなる他の側面、先行する任意の側面、または先行する側面同士の任意の組合せにおいて、受け取った前記分析データは、直接的なデータを含む分子レベル分析データを含み、前記方法が、さらに、前記直接的なデータに基づいて、第１のモデル化合物を第１の信号群に割り当てる過程、を備える。
【００６２】
第１の実施形態のさらなる他の側面、先行する任意の側面、または先行する側面同士の任意の組合せにおいて、受け取った前記分析データは、直接的な集合データを含む分子レベル分析データを含み、前記方法が、さらに、前記直接的な集合データに基づいて、複数のモデル化合物を、直接的なデータに基づくモデル化合物の振当てが行われていない信号群へと割り当てる過程であって、これらのモデル化合物は、同じ化合物群及び同じ炭素数の信号群へと割り当てられる過程、を備える。
【００６３】
第１の実施形態のさらなる他の側面、先行する任意の側面、または先行する側面同士の任意の組合せにおいて、受け取った前記分析データは定量的な分子レベル分析データを含み、前記方法が、さらに、前記定量的な分子レベル分析データに基づいて、複数のモデル化合物を、直接的なデータ及び直接的な集合データのいずれに基づいてもモデル化合物の振当てが行われていない信号群へと割り当てる過程であって、これらのモデル化合物は、同じ化合物群、同じ炭素数及び同じ二重結合当量の信号群へと割り当てられる、過程、を備える。
【００６４】
第１の実施形態のさらなる他の側面、先行する任意の側面、または先行する側面同士の任意の組合せにおいて、受け取った前記分析データは定性的な分子レベル分析データを含み、前記方法が、さらに、前記定性的な分子レベル分析データの少なくとも一部を表すのにＡｓｐｅｎ分布が用いられた場合、当該定性的な分子レベル分析データに基づいて、複数のモデル化合物を、直接的なデータ、直接的な集合データ及び定量的な分子レベル分析データのいずれに基づいてもモデル化合物の振当てが行われていない信号群へと割り当てる過程であって、これらのモデル化合物は、同じ化合物群、同じ炭素数及び同じ二重結合当量の信号群へと割り当てられる、過程と、前記定性的な分子レベル分析データに基づいて、同じ化合物群、同じ炭素数、同じ一分岐メチレン数、同じ二分岐メチレン数、同じ芳香族側環数及び同じナフテン側環数である複数のモデル化合物を、直接的なデータ、直接的な集合データ、定量的な分子レベル分析データ、及び前記定性的な分子レベル分析データのうちのＡｓｐｅｎ分布を用いた少なくとも一部のいずれに基づいてもモデル化合物の振当てが行われていない信号群へと割り当てる過程と、を備える。
【００６５】
第１の実施形態のさらなる他の側面、先行する任意の側面、または先行する側面同士の任意の組合せにおいて、受け取った前記分析データは伝統的な分析データを含み、前記方法が、さらに、前記伝統的な分析データに基づいて、複数のモデル化合物を、直接的なデータ、直接的な集合データ、定量的な分子レベル分析データ及び定性的な分子レベル分析データのいずれに基づいてもモデル化合物の振当てが行われていない信号群へと割り当てる過程であって、これらのモデル化合物は、同じ化合物群、同じ炭素数、同じ一分岐メチレン数、同じ二分岐メチレン数、同じ芳香族側環数及び同じナフテン側環数の信号群へと割り当てられる過程、を備える。
【００６６】
第１の実施形態のさらなる他の側面、先行する任意の側面、または先行する側面同士の任意の組合せにおいて、前記方法は、さらに、前記試料のカットに属する信号群内における構成化合物の構造密度指数を表した確率分布関数を用いて、信号群内の化合物組成を算出する過程、を備える。
【００６７】
第１の実施形態のさらなる他の側面、先行する任意の側面、または先行する側面同士の任意の組合せにおいて、前記方法は、さらに、前記試料の全信号群内における構成化合物の構造密度指数を表した確率分布関数を用いて、信号群内の化合物組成を算出する過程、を備える。
【００６８】
前述の内容は、添付の図面に示す本発明の例的な実施形態についての以下のより詳細な説明から明らかになる。異なる図をとおして、同一の符号は同一の構成／構成要素を指すものとする。図面は必ずしも縮尺どおりではなく、むしろ、本発明の実施形態を図示することに重点が置かれている。
【図面の簡単な説明】
【００６９】
【図１Ａ】実験データ（黒の丸印）及びフィッティングされたデータ（実線の曲線）を含んだ２つの蒸留曲線であり、左側が第１の解であり、右側が第２の解である。
【図１Ｂ】二重結合当量（ＤＢＥ）−対−炭素数の２つのプロットであり、左側のプロットは図１Ａの第１の解に対応するプロットであり、右側のプロットは図１Ａの第２の解に対応するプロットである。
【図２】芳香族環・ナフテン環の数及び炭化水素側鎖の長さが相異なる５種類の同族列化合物の標準沸点を横軸、密度を縦軸としたプロットであり、破線は同じ総炭素数（ＣＮ）及び二重結合当量（ＤＢＥ）の異性体であることを表し、ＣＮ＝３２、ＤＢＥ＝１６の化合物が例示されている。
【図３】「総炭素数」というセグメントタイプの確率分布の一例を示す図であり、様々な炭素数（異なるセグメント数）の化合物が図示されている。
【図４】「芳香族側環」というセグメントタイプの確率分布の一例を示す図であり、様々な芳香族環（異なるセグメント数）の化合物が図示されている。
【図５】「ナフテン側環」というセグメントタイプの確率分布の一例を示す図であり、様々なナフテン環（異なるセグメント数）の化合物が図示されている。
【図６】原油又は石油留分の化学組成や推定特性を算出するのに用いられる、コンピュータに実装されるキャラクタリゼーション方法のフロー図である。
【図７】ＡＰＰＩ  ＦＴ−ＩＣＲ  ＭＳからの実験データであり、芳香族群の炭素数−対−二重結合当量の関数としての二次元信号分布を生じさせ、これら２種類の分布は、さらに、芳香族群の炭素数の分布とＤＢＥの分布との別々の分布へとさらに抽象化されていて、各分子の絵は、データ信号内に含まれる数多くの考えら得る分子のうちの考えられ得る異性体の一つを指し示している。
【図８】原油の分析データの一例であり、当該原油の構成石油留分を測定した際のデータタイプ、各データタイプの分子詳細度、およびキャラクタリゼーション方法の調和過程時に各データタイプに付与される優先度が示されている。
【図９】ＣＮ＝１６、ＤＢＥ＝９の炭化水素群のデータ信号を表すのに用いられ得る、ＭＣライブラリ内の異性体を示す図である。
【図１０Ａ】セグメント数の範囲にわたって分子の均等な確率分布、つまり、一定の確率を示すプロットである。
【図１０Ｂ】分子のガンマ確率分布を示すプロットである。
【図１０Ｃ】詳細な実験データにより設定された、芳香族炭化水素（ＨＣ）の総炭素数についての分子の確率分布を示すプロットである。
【図１１Ａ】ＬＳＩ＋ＦＴ−ＩＣＲ−ＭＳを用いた１個の環内塩基性窒素群の測定結果から得られた、二重結合当量−対−炭素数の実験データのプロットである。
【図１１Ｂ】図１１Ａのデータから生成された、モル分率−対−炭素数を示す合成分布曲線である。
【図１２】本明細書で説明する方法により得られた、確率−対−セグメント数（セグメントタイプは塩基性窒素）のグラフである。
【図１３】ＤＢＥ−対−炭素数のプロットを正規化モル分率−対−炭素数のプロットに変換する様子を示す図である。
【図１４】データの種類及び品質により決まる計算の順序及び優先度を示す図であり、測定結果に表された分子の特定にあたって曖昧さが小さく高い精度・正確さを提供する機器及び手法を用いて得られたデータは、当該データと同時に用いられる、これよりも正確さが低いか又は曖昧さが大きいデータよりも優先される。
【図１５】ＣＮ＝１６、様々なＤＢＥ、様々な芳香族環・ナフテン環を有する９種類の炭化水素化合物を含む理論的試料についての、データ信号処理ヒューリスティクスを示す図である。
【図１６】ＣＮ＝３２、ＤＢＥ＝１６の芳香族群化合物の構造密度指数の確率分布の一例を示す図である。
【図１７】本発明が実現され得るコンピュータネットワーク又は同様のデジタル処理環境を示す図である。
【図１８】図１７のコンピュータシステムにおけるコンピュータ（例えば、クライアントプロセッサ／装置５０、サーバコンピュータ６０等）の内部構造の図である。
【発明を実施するための形態】
【００７０】
以下では、本発明の例的な実施形態について説明する。
【００７１】
特許文献１（2018年4月3日付発行）や特許文献２に記載されているような、原油の化学組成をキャラクタリゼーションする従来の方法は、蒸留曲線などの伝統的な分析データを用いる。このような方法は正確な結果をもたらすものの、未だ改善の余地がある。考えられ得る短所の一つは、分子分布の解として、用意された分析データにいずれも同等に適合することのできる複数の解が生じる可能性があるという点である。図１Ａには、左側に第１の解と名付けられたグラフと右側に第２の解と名付けられたグラフとの２つのグラフが設けられている。これら２つのグラフは実験蒸留データ（黒の丸印）が同じものであるのに対し、当該実験データにフィッティングしてなる算出曲線は互いに異なっている。なお、これらの計算は、特許文献１に記載された方法、特許文献２に記載された方法をそれぞれ用いて行った。どちらの解も、用意されたデータ範囲内の蒸留曲線データに対して同程度によく適合している。図１Ｂに、二重結合当量（ＤＢＥ）−対−炭素数のプロットにより表した分子分布を示す。ＤＢＥは、化合物中に存在する二重結合や環の数についての従来技術から知られている尺度である。例えばベンゼンは、ＤＢＥ＝４である。テトラリンは、ＤＢＥ＝５である。ナフタレンは、ＤＢＥ＝７である。図１Ｂ中の丸印の大きさは、化合物の相対組成（大きな丸印＝高い組成）を表している。例えば第１の解では、様々な長さのメチル側鎖（１〜５０）のナフタレン化合物（ＤＢＥ＝７）が存在しており、総炭素数＝２０周辺で組成が最大になっている。第１の解では、ＤＢＥ＝４のラインに丸印が全くないことからも分かるが、ベンゼン化合物が含まれていない。第２の解では、ナフタレン化合物の側鎖分布がより短くなっている（１〜２０）ほか、数ある化合物のなかでも特に、ベンゼン化合物や幾つかのテトラリン構造（ＤＢＥ＝５）が含まれている。これら２つの解は分子構成内容が異なることになるため、反応速度や反応経路、さらには、セタン価、リサーチ法オクタン価（ＲＯＮ）、粘度などの物理的特性にも大きな影響が生じ得る。
【００７２】
本明細書で説明する方法は、例えば、質量分析法データなどの高度な分析手法を用いて得られた分子レベルデータを組み込むことによって従来の方法を改良することができる。
【００７３】
（セグメントおよび化合物群）
本明細書で説明する分子キャラクタリゼーション方法は、原油又は石油留分を含む試料中の分子種（species）を表す化合物として、まとまった１セットの化合物を用いる。これらの化合物は、化合物群（本明細書では「分子群」とも称する）へと分類される。表１に、化合物群の例を示す（ただし、さらなる群が使われてもよい）。各化合物群ごとに、化合物の例も描いている。
【００７４】
【表１】
0006887562.tif 000002
0006887562.tif 000003
0006887562.tif 000004
0006887562.tif 000005
0006887562.tif 000006
0006887562.tif 000007
0006887562.tif 000008
0006887562.tif 000009
0006887562.tif 000010
0006887562.tif 000011
【００７５】
本発明の方法は、表１に列挙した１つ以上の化合物群を使用し得る。典型的には、最初の少なくとも３つの化合物群が、試料中において典型的に最も見受けられることから使用される。使用される化合物群は、用意されたデータの種類に依存する。例えば、ニッケル分及びバナジウム分のデータが用意されていれば、上記２１番目の化合物群と２２番目の化合物群が使用される。本発明の好ましい一実施形態では、表１の全ての化合物群が使用される。
【００７６】
（異性体の検討）
構造異性体は、同じ化合物群に属して同じ化学式を有する化合物である。反面、構造異性体は、二重結合当量、分岐鎖（branching）、環構造、芳香族分及びナフテン分が異なり得る。これらの違いにより、構造異性体間の物理的特性も異なる。例示として、図２に、芳香族環・ナフテン環の数及び炭化水素側鎖の長さが相異なる５種類の同族列化合物の標準沸点を横軸、密度を縦軸としたプロットを示す。破線は同じ総炭素数（ＣＮ）及び二重結合当量（ＤＢＥ）の異性体であることを表す。例えば、一番上の破線は、ＣＮ＝３２、ＤＢＥ＝１６の異性体に対応する。これらの異性体間では、特性（例えば、密度、標準沸点等）が大幅に異なる。
【００７７】
（化合物ライブラリ）
表１に示す２２個の化合物群をカバーした、モデル化合物のライブラリが形成され得る。これらの化合物は、当該化合物の熱力学的安定性を踏まえて、かつ、当該化合物の構造が原油、原料やリアクター生成物中に存在している又は存在している可能性があると特定されたことによって選ばれたものである（例えば、Linzhou Zhang達による“Molecular Representation of Petroleum Vacuum Resid（石油減圧蒸留残渣の分子表現）” Energy Fuels, 28(3):1736-1749 (2013)等を参照のこと）。構造異性体も含まれる。本研究では、約５４，０００種類の化合物のライブラリを使用した（本明細書では「ＭＣライブラリ」と称する）。モデル化合物のライブラリは特定数の化合物に限定されないが、典型的には、原油、原料やリアクター生成物中に存在している又は存在している可能性があると特定されたモデル化合物の数は多ければ多いほど望ましい。
【００７８】
また、本明細書で開示する方法に使用されるモデル化合物のライブラリは、純粋化合物を含み得る。例えば、モデル化合物のライブラリは、１００〜１０００個の純粋化合物や化合物集合を含み得る。典型的には、これらの化合物の沸点は４１３．４２℃未満である。
【００７９】
また、ＭＣライブラリは、ライトエンド・ナフタ範囲内の約５５０個の純粋化合物や化合物集合（沸点が４１３．４２℃未満の化合物）を含む。純粋化合物とは、モデル化合物ではなく、実験測定値から求められた特性を有するはっきりと定義された成分のことである。化合物集合とは、構造異性体である複数の化合物の集合であり、同じ化学式を有していて且つＣ６イソパラフィン、Ｃ７ナフテン、Ｃ８芳香族などといった同じ化合物群に属している。化合物集合の特性は、構成化合物の特性の平均とする。
【００８０】
（特性の推定）
ＭＣライブラリ内の化合物の標準沸点及び液体密度は、特許文献１や特許文献２に記載されているようにＰＣ−ＳＡＦＴ状態方程式を用いて算出することができる。硫黄分、窒素分、炭素分、水素分などの元素特性は、当該技術分野から知られているように分子式から直接算出される。他の物理的特性は、従来技術から知られている各種相関を用いて推定することができる。
【００８１】
ＭＣライブラリ内の所望の全分子は、ＰＣ−ＳＡＦＴ官能基に分解することができる。一つの分子内での各官能基の出現頻度も、特定することができる。それぞれの官能基は、標準沸点や液体密度を推定するのに用いられる固有の一連のパラメータを有している。どの官能基パラメータを用いるのかは、飽和液体密度、液体蒸気圧及び液体熱容量を含む用意されたデータに対してデータ回帰を行うことによって特定される。当該回帰に使用されるデータセットは、表１の化合物群及び表３の官能基を示す多種多様な化合物を含んでいる。官能基の出現頻度および対応するパラメータを用いて、分子の特性が算出され得る。例えば、ノルマルパラフィンは、２種類の官能基、つまり、メチル基（−ＣＨ３）とメチレン基（＞ＣＨ２）とを含んでいる。具体例として、ｎ−ブタンは、２つのメチル基と２つのメチレン基とを含んでいる。芳香族分子はＡＣＨ官能基とＰＡＣＣ官能基とを用いて表すことができ、例えば、ナフタレンは８個のＡＣＨ官能基と１個のＰＡＣＣ官能基とを含んでいる。表２（下記を参照のこと）に、分子の例、当該分子のＰＣ−ＳＡＦＴ官能基、および各官能基の出現頻度を示す。表３（下記を参照のこと）に、使用したＰＣ−ＳＡＦＴ官能基を列挙している。
【００８２】
【表２】
0006887562.tif 000012
【００８３】
【表３】
0006887562.tif 000013
0006887562.tif 000014
0006887562.tif 000015
【００８４】
以下では、ＭＣライブラリ内の化合物の純粋化合物特性の推定について説明する。
純粋化合物ｉは、その化学式により識別することができる。
化学式ｉ＝ＣｘＨｙＳｚＮｌＯｍＶｎＮｉｊ
（式中、Ｃｘは炭素原子の数であり、Ｈｙは水素原子の数であり、Ｓｚは硫黄原子の数であり、Ｎｌは窒素原子の数であり、Ｏｍは酸素原子の数であり、Ｖｎはバナジウム原子の数であり、Ｎｉｊはニッケル原子の数である）
Ａ）純粋化合物の分子量Ｄａ
【００８５】
【数１】
0006887562.tif 000016
【００８６】
Ｂ）炭素分（ｗｔ％）
【００８７】
【数２】
0006887562.tif 000017
【００８８】
Ｃ）水素分（ｗｔ％）
【００８９】
【数３】
0006887562.tif 000018
【００９０】
Ｄ）硫黄分（ｗｔ％）
【００９１】
【数４】
0006887562.tif 000019
【００９２】
Ｅ）窒素分（ｗｔ％）
【００９３】
【数５】
0006887562.tif 000020
【００９４】
Ｆ）酸素分（ｗｔ％）
【００９５】
【数６】
0006887562.tif 000021
【００９６】
Ｇ）バナジウム分（ｗｔ％）
【００９７】
【数７】
0006887562.tif 000022
【００９８】
Ｈ）ニッケル分（ｗｔ％）
【００９９】
【数８】
0006887562.tif 000023
【０１００】
Ｉ）標準沸点
ＰＣ−ＳＡＦＴ状態方程式を用いることにより、ＭＣライブラリ内の全化合物の標準沸点を算出することができる。
Ｊ）液体密度
ＭＣライブラリ内の全化合物の、各種温度での液体密度は、ＰＣ−ＳＡＦＴ状態方程式により推定することができ、次の相関式を用いて温度に相関付けられている。
【０１０１】
【数９】
0006887562.tif 000024
【０１０２】
（式中、ρｉは化合物ｉの液体密度（ｋｇ／ｍ３）であり、Ａｉ、Ｂｉ及びＣｉは化合物ｉの液体密度パラメータであり、Ｔは温度（Ｋ）である。）
Ｋ）液体粘度
基寄与法を用いることにより、純粋化合物の液体粘度を推定することができる。全官能基の寄与粘度が、用意された実験液体粘度データに対して回帰される。当該回帰に使用されるデータセットは、表１の化合物群及び表３の官能基を示す多種多様な化合物を含み得る。
【０１０３】
【数１０】
0006887562.tif 000025
【０１０４】
（式中、ηｉは純粋化合物ｉの液体粘度（Ｐａ・ｓ）であり、ηｊは基ｊの寄与粘度（Ｐａ・ｓ）であり、ｖｊは化合物ｉにおける基ｊの出現頻度であり、Ａｊ、Ｂｊ及びＣｊは基ｊの液体粘度パラメータであり、ｘＰＡＣＣ，ｉは化合物ｉにおけるＰＡＣＣ官能基の出現頻度であり、Ｔは温度（Ｋ）である。）
Ｌ）コンラドソン残留炭素
純粋化合物のコンラドソン残留炭素ＣＣＲｉ（ｗｔ％）は、ペンダント−コアモデルから推定することができる。このモデルは、化合物が、熱分解過程で蒸留することのできる液体を形成するペンダントブロックと、残留炭素を形成するコアブロックとの、２つの構成成分から構成されているものと仮定する。
一化合物のコアブロックは多環系芳香族炭化水素で構成されているので、飽和分（パラフィン類及びナフテン類）のＣＣＲはゼロとなる。ＣＣＲを求めるための実験測定は３１５℃で行うため、３１５℃未満の標準沸点を有する化合物のＣＣＲはゼロと見なす。それ以外の化合物のＣＣＲは、次の式を用いて算出される。
【０１０５】
【数１１】
0006887562.tif 000026
【０１０６】
（式中、Ｈｉは化合物ｉの水素分であり、Ｈｐはペンダントブロックの水素分（１１．６ｗｔ％）であり、Ｈｃはコアブロックの水素分（３．８ｗｔ％）である。）
残留炭素測定時において熱分解反応よりも先に蒸発する化合物がある可能性も踏まえて、Ｐ−Ｃモデルから算出されるＣＣＲ値には蒸発影響係数が適用され得る。この係数は、化合物沸点の積分正規分布と見なすことができる。
【０１０７】
【数１２】
0006887562.tif 000027
【０１０８】
（式中、ＥＦｉは化合物ｉの蒸発係数であり、ＴＢｉは化合物ｉの真沸点（°Ｆ）であり、ＴＢｍは平均沸点（１０６０．９°Ｆ）であり、ＴＢｓは温度標準偏差（７０°Ｆ）である。）
Ｍ）総発熱量および真発熱量
どちらの特性も元素含有量に密接に関係しており、次の式を用いて算出することができる。
【０１０９】
【数１３】
0006887562.tif 000028
【０１１０】
（式中、化合物ｉについて、ＧＨＶｉは総発熱量（ｋＪ／ｋｇ）であり、ＮＨＶｉは真発熱量（ｋＪ／ｋｇ）であり、Ｃｉは炭素分（ｗｔ％）であり、Ｈｉは水素分（ｗｔ％）であり、Ｏｉは酸素分（ｗｔ％）であり、Ｓｉは硫黄分（ｗｔ％）であり、Ｎｉは窒素分（ｗｔ％）である。）
【０１１１】
一実施形態において、本発明の方法は、ＭＣライブラリ化合物の予測組成を用いて原油や石油留分混合物の特性を推定する。以下では、混合物の推定対象となる（estimated）特性の幾つかの計算について説明する。
Ａ）原油・石油留分の質量密度
原油又は石油留分の質量密度は、次のようにして算出される。
【０１１２】
【数１４】
0006887562.tif 000029
【０１１３】
（式中、ρは質量密度（ｋｇ／ｍ３）であり、ｗｉは混合物における化合物ｉの重量分率であり、ρｉは純粋化合物ｉの質量密度（ｋｇ／ｍ３）である。）
Ｂ）原油・石油留分の液体粘度
原油又は石油留分の液体粘度（dynamic liquid viscosity）は、次の式を用いて算出することができる。
【０１１４】
【数１５】
0006887562.tif 000030
【０１１５】
（式中、ηは混合物の粘度（Ｐａ・ｓ）であり、ηｉは純粋化合物ｉの粘度（Ｐａ・ｓ）であり、ｗｉは混合物における化合物ｉの重量分率であり、ｗＰＩは混合物におけるノルマルパラフィン化合物の重量分率とイソパラフィン化合物の重量分率との合計であり、ｗＮＡは混合物におけるナフテン化合物（Ｎ）の重量分率と芳香族化合物（Ａ）の重量分率との合計であり、ｋ０はパラフィン類とＮ＋Ａとの相互作用パラメータであり、ｋ１、ｋ２及びｋ３はアスファルテン類とそれ以外の全化合物との相互作用パラメータであり、Ｔは温度（Ｋ）であり、Ｔ０は基準温度の２９８．１５Ｋであり、ｗＡＳは混合物におけるアスファルテン類の重量分率であり、ηＡＳはアスファルテン化合物のみを含む理論的混合物の粘度であり、ｗＡＳ，ｉは上記理論的混合物におけるアスファルテン化合物ｉの重量分率であり、ηＡＳ，ｉはアスファルテン化合物ｉの粘度であり、ηｎｏｎ−ＡＳは全化合物からアスファルテン類を除いた場合の系の粘度であり、ｗｎｏｎ−ＡＳ，ｊはアスファルテン類を除いた混合物における非アスファルテン化合物ｊの重量分率であり、ηｎｏｎ−ＡＳ，ｊは非アスファルテン化合物ｊの粘度である。）
動粘度（kinematic viscosity）は、粘度と密度とから算出される。
【０１１６】
【数１６】
0006887562.tif 000031
【０１１７】
（式中、υは混合物の動粘度（ｃＳｔ）であり、ηは混合物の粘度（Ｐａ・ｓ）であり、ρは混合物の質量密度（ｋｇ／ｍ３）である。）
Ｃ）原油・石油留分の分子量Ｄａ
原油又は石油留分の分子量は、次のようにして算出することができる。
【０１１８】
【数１７】
0006887562.tif 000032
【０１１９】
（式中、ＭＷは原油又は石油留分の分子量であり、ＭＷｉは化合物ｉの分子量であり、ｘｉは混合物における化合物ｉのモル分率である。）
Ｄ）原油・石油留分の全酸価（ＴＡＮ）
全酸価は、１ｇの原油又は石油留分中における酸を中和するのに用いられるＫＯＨの質量（ｍｇ）として定義される。全酸価は、次の式を用いて算出することができる。
【０１２０】
【数１８】
0006887562.tif 000033
【０１２１】
（式中、ＴＡＮは混合物の全酸価（ｍｇＫＯＨ／ｇ）であり、ＭＷは混合物の分子量であり、ｘAcid compsｉは混合物における酸化合物ｉのモル分率であり、ＭＷＫＯＨはＫＯＨの分子量（５６．１０４９ｇ／ｍｏｌ）である。）
Ｅ）原油・石油留分のコンラドソン残留炭素
原油全体又は石油留分全体のＣＣＲは、次のようにして算出することができる。
【０１２２】
【数１９】
0006887562.tif 000034
【０１２３】
（式中、ｗｉは混合物における化合物ｉの重量分率であり、ＣＣＲｉは化合物ｉのコンラドソン残留炭素であり、ＥＦｉは化合物ｉの蒸発係数である。）
Ｆ）原油・石油留分の総発熱量及び真発熱量
原油・石油留分の総発熱量及び真発熱量は、次のようにして算出することができる。
【０１２４】
【数２０】
0006887562.tif 000035
【０１２５】
（式中、ＧＨＶは混合物の総発熱量（ｋＪ／ｋｇ）であり、ＮＨＶは混合物の真発熱量（ｋＪ／ｋｇ）であり、ｗｉは混合物における化合物ｉの重量分率であり、ＧＨＶｉは化合物ｉの総発熱量（ｋＪ／ｋｇ）であり、ＮＨＶｉは化合物ｉの真発熱量（ｋＪ／ｋｇ）である。）
Ｎ）原油又は石油留分の総硫黄分
【０１２６】
【数２１】
0006887562.tif 000036
【０１２７】
（式中、ＴＳは混合物中の総硫黄分（ｗｔ％）であり、ｗｉ，は混合物における化合物ｉの重量分率（ｗｔ％）であり、Ｓｉは化合物ｉ中の硫黄分（ｗｔ％）である。）
Ｏ）原油又は石油留分のメルカプタン硫黄分
【０１２８】
【数２２】
0006887562.tif 000037
【０１２９】
（式中、ＭＳは混合物中のメルカプタン硫黄分（ｗｔ％）であり、ｗｉは混合物におけるメルカプタン化合物ｉの重量分率（ｗｔ％）であり、ＭＳｉはメルカプタン化合物ｉ中の硫黄分（ｗｔ％）である。）
Ｐ）原油又は石油留分の総窒素分
【０１３０】
【数２３】
0006887562.tif 000038
【０１３１】
（式中、ＴＮは混合物中の総窒素分（ｗｔ％）であり、ｗｉは混合物における化合物ｉの重量分率（ｗｔ％）であり、Ｎｉは化合物ｉ中の窒素分（ｗｔ％）である。）
Ｑ）原油又は石油留分の塩基性窒素分
【０１３２】
【数２４】
0006887562.tif 000039
【０１３３】
（式中、ＢＮは混合物中の塩基性窒素分（ｗｔ％）であり、ｗｉは混合物における塩基性窒素含有化合物ｉの重量分率（ｗｔ％）であり、ＢＮｉは塩基性窒素含有化合物ｉの窒素分（ｗｔ％）である。）
Ｒ）原油又は石油留分の炭素分
【０１３４】
【数２５】
0006887562.tif 000040
【０１３５】
（式中、Ｃは混合物中の炭素分（ｗｔ％）であり、ｗｉは混合物における化合物ｉの重量分率（ｗｔ％）であり、Ｃｉは化合物ｉ中の炭素分（ｗｔ％）である。）
Ｓ）原油又は石油留分の水素分
【０１３６】
【数２６】
0006887562.tif 000041
【０１３７】
（式中、Ｈは混合物中の水素分（ｗｔ％）であり、ｗｉは混合物における化合物ｉの重量分率（ｗｔ％）であり、Ｈｉは化合物ｉ中の水素分（ｗｔ％）である。）
Ｔ）原油又は石油留分のＣＨ比
【０１３８】
【数２７】
0006887562.tif 000042
【０１３９】
（式中、Ｃ％は混合物中の炭素分（ｗｔ％）であり、Ｈ％は混合物中の水素分（ｗｔ％）である。）
【０１４０】
（化合物の選択およびＵＩセグメントの表現）
ＭＣライブラリなどのライブラリから、キャラクタリゼーション方法で分析データを表すための化合物が選択される。所与の分析の特性を表すのに、ライブラリ内に存在する全化合物が必要となるわけではない。化合物の選択過程は、用意されたデータの種類や品質に依存する。化合物選択に用いる主な手法は、化合物群（表１に示す化合物群を参照のこと）を表す概念的セグメントの分布を用いて、所与の化合物群内の化合物が原油又は石油留分中に存在する確率を求めるという手法である。概念的セグメントは、検討対象となる全化合物群及び構造を表現するように選び出されたものであり、表４にまとめられている。これら概念的セグメントの例には、総炭素数、一分岐メチレン、二分岐メチレン、ナフテン側環、および芳香族側環が含まれる。
【０１４１】
【表４】
0006887562.tif 000043
0006887562.tif 000044
0006887562.tif 000045
0006887562.tif 000046
0006887562.tif 000047
【０１４２】
セグメント分布は、セグメントタイプの確率をセグメント数の関数として表したものである。「総炭素数」の分布は、炭素原子数＝１、２、３、４、…の化合物を含む確率である。図３に示すように、総炭素数＝３０の化合物を含む確率は約０．０４１３である。この概念的セグメントは化合物中の炭素数を管理し、他のセグメントは影響を及ぼさない。
「一分岐メチレン」セグメントおよび「二分岐メチレン」セグメントは、パラフィン類の、イソパラフィンとしての分岐度を管理する。
「芳香族側環」セグメントおよび「ナフテン側環」セグメントは、環数の分布を管理する。図４に芳香族側環の分布の例を示し、図５にナフテン側環の分布の例を示す。例示のために、様々なセグメント数を含めている。ナフテン側環値＝０は、化合物がナフテン環を持たないことを指す。値＝１は、化合物が１個のナフテン環を持っていることを指す。表５に、化合物の例、ならびに化合物の選択過程で使われる対応する概念的セグメント及び値を示す。
【０１４３】
【表５】
0006887562.tif 000048
【０１４４】
概念的セグメントの確率を用いて、選出した化合物のモル分率を、次の式を使って算出する。
【０１４５】
【数２８】
0006887562.tif 000049
【０１４６】
（式中、ｙｉは化合物群Ｃに属する化合物ｉのモル分率であり、ｙclassＣは化合物群Ｃのモル分率であり、ｎ１，２，…ｋはセグメント数であり、ｐｓ１，ｓ２，…，ｓｋはセグメントタイプｓ１，ｓ２，…，ｓｋの確率であり、これらの確率は、同セグメントについて定められたガンマ関数、一様な関数、Ａｓｐｅｎ関数などの確率分布関数から算出することができる。）
表６に、セグメント及びセグメントにより選出され得る化合物の例についての完全なリストを示す。「６ＣＲ」、「パラフィン系スルフィド」、「ＳＯ２」、「フェノール」、「チオフェン」、「ＮＯ２」、「中性窒素」、「塩基性窒素付きパラフィン系スルフィド」、「芳香族酸」などといったセグメントの残余「モル分率」は、共通の化合物群分布内での２つのサブ化合物群の比率を左右する。例えば、芳香族酸セグメントのモル分率は、酸素化合物群内での芳香族酸−対−ナフテン酸の比率を求める又は定めるのに用いられる。これら２種類の酸を区別する実験データが存在していれば、このデータを用いてそのモル分率を直接設定することが可能である。データが存在しない場合には、この変数がユーザによって適宜設定され得るか又は回帰により調節され得る。
【０１４７】
【表６】
0006887562.tif 000050
0006887562.tif 000051
0006887562.tif 000052
【０１４８】
分子キャラクタリゼーションの重要な概念の一つは、「分子プロファイル」と呼ばれるものである。原油又は石油留分を含む試料には、特定の分子プロファイルが対応する。このプロファイルは、ライブラリ（例えば、ＭＣライブラリ等）内の分子のうちの原油又は石油留分を含む試料中に存在する分子、および当該分子の組成を表すのに用いられる。このプロファイルは、次の重要な情報からなる：各化合物群（例えば、表１の化合物群等）の相対重量；各化合物群の概念的セグメントタイプ（例えば、表４のセグメント等）；各セグメントのセグメント分布情報；および粘度パラメータ。
【０１４９】
各セグメント分布は、さらに、次のうちの一つを用いて表される：一様な分布；ガンマ分布；および「Ａｓｐｅｎ」分布。一様な分布は、「一定」の分布を生成する。ガンマ分布関数は、調節可能な２つのパラメータを用いて多種多様な分布を表現することができるので一般的によく普及している。Ａｓｐｅｎ分布は、実験から導き出された、セグメント数の離散整数値での同セグメントの確率を表している。
【０１５０】
（実験データの処理）
本発明の方法は、図６に示すように、複数の種類の実験データを使用し得る。
【０１５１】
本発明の方法は、伝統的な分析データを使用し得る。
【０１５２】
伝統的な分析データには、蒸留曲線データや、密度曲線データや、硫黄曲線データや、塩基性窒素曲線データや、総窒素曲線データや、ＣＨ比曲線データや、全酸価曲線データや、ＰＩＯＮＡ分曲線データや、粘度曲線データや、ニッケル分曲線データや、バナジウム分曲線データが含まれるが、これらに限定されない。
【０１５３】
本発明の方法は、ガスクロマトグラフィー・質量分析法データ（本明細書では高度な分析測定や詳細な分子レベルデータとも称する）を使用し得る。
【０１５４】
アッセイデータは、ガスクロマトグラフィー・質量分析法からの、ＧＣ−ＭＳデータ、ＧＣ−ＴｏＦデータ、ＦＴ−ＩＣＲ−ＭＳデータなどといった高度な分析測定結果を含み得る。
【０１５５】
ＧＣ−ＭＳデータは、試料中に存在する化合物又は化合物集合、およびその組成を特定する。化合物集合とは、構造異性体である複数の化合物の集合であり、同じ化学式を有していて且つＣ６イソパラフィン、Ｃ７ナフテン、Ｃ８芳香族などといった同じ化合物群に属している。化合物又は化合物集合の素性と組成が定量的に判明することから、この種のデータは定量的なデータとも見なされる。以降の欄では、この種のデータを「直接的」なデータとも称する。
【０１５６】
ＧＣ−ＴｏＦデータは、炭素数、分子分類（molecular class）及び二重結合当量（ＤＢＥ）の関数としての信号強度の形態で表される。この信号強度は、アルゴリズムのデータ処理過程でモル分率へと変換される。ＧＣ−ＴｏＦデータは定量的であると見なせるので、各分子分類の重量パーセントを求めることも可能である。
【０１５７】
ＦＴ  ＩＣＲ−ＭＳ（例えば、ＡＰＰＩ、ＥＳＩ−、ＥＳＩ＋等）データは、炭素数、Ｋｅｎｄｒｉｃｋ分子量、提案された分子式、分子分類及び二重結合当量の関数としての信号強度の形態で表される。この信号強度は、アルゴリズムのデータ処理過程でモル分率へと変換される。現在のＦＴ  ＩＣＲ−ＭＳデータは定性的であるので、化合物群の重量や組成を直接設定することができない。ただし、化合物群の相対分布はアルゴリズムにより維持される。このようなデータの一例は、図７に見受けられる。同図のＡＰＰＩ  ＦＴ−ＩＣＲ  ＭＳ測定結果は、芳香族炭化水素群についての炭素数分布とＤＢＥ分布とを（実質的には、化学式の分布を）定めている。ＦＴ  ＩＣＲ  ＭＳデータは、同じ化合物群内での相対組成についての重要な情報を提供する。
【０１５８】
利用できるデータタイプは機器及び実験手法の検出限界に影響されるため、機能上、データタイプは特定の沸点範囲に限定される。現在、ＧＣ−ＭＳ測定は沸点が２００℃未満である試料に利用可能である。現在、ＧＣ−ＴｏＦ測定の検出範囲は沸点が１６０℃〜３５０℃である留分に適している。現在、ＦＴ−ＩＣＲ  ＭＳ測定は原油の残渣などといった重質留分（３５０℃超）に利用可能である。現在のＦＴ−ＩＣＲ  ＭＳ測定は、その手法しだいで沸点が３５０℃未満である試料にも利用可能である。図８を参照されたい。
【０１５９】
本発明の方法は、１種以上のデータタイプを同時に処理することが可能であり得る。図８に示すように、典型的な原油試料は様々な留分に分留することができる。一つの留分に対して、ＧＣ−ＭＳ測定、ＧＣ−ＴｏＦ測定、ＦＴ−ＩＣＲ  ＭＳ測定及び伝統的な分析測定のいずれかが行われ得る。別の例として、軽質石油留分（例えば、沸点範囲が２００℃未満である石油留分等）の試料が挙げられる。この場合には、ＧＣ−ＭＳデータが典型的に測定される。
【０１６０】
ＧＣ−ＴｏＦ、ＦＴ−ＩＣＲ  ＭＳなどといった現在の一部の測定手法は、データ信号内に存在する正確な分子を特定することができない。つまり、それらは、データ信号内における異性体の組成や素性を確定することができない。図９に、データ信号内に存在し得る、ＣＮ＝１６、ＤＢＥ＝９の炭化水素群の考えられ得る異性体の例を示す。現実的には、ＣＮ＝１６の考えられ得る異性体の実際の数はもっと多い。
【０１６１】
本発明で使用され得るデータは、次の５種類の情報又はファクタを考慮して分類される。
１．化合物の組成（絶対的な組成−対−相対的な組成）
２．異性体の素性（異性体化合物の正確な素性−対−構造式）
３．炭素数
４．二重結合当量
５．ヘテロ原子含有量
上記の情報を一つでも含まないデータは、各種程度の曖昧さを有していると考えられる。この曖昧さを解決できる測定結果は、解決できない測定結果よりも優先される。
ａ）「直接的」な情報は、上記５種類の全ファクタを確定するものであり、存在する分子及び当該分子の組成が曖昧ではない。ＧＣ−ＭＳなどの一部のＧＣ手法は、上記５種類の情報を確定することができる。
ｂ）「直接的」な集合データは、上記のうちの４種類のファクタを確定することができる。この種のデータでは、集合内の異性体化合物が特定されない一方で、炭素数、ＤＢＥ、組成およびヘテロ原子含有量は明確にされる。よって、このデータタイプでは、集合の異性体構成内容が不明である（曖昧さ）。
ｃ）「定量的」な情報は、上記のうちの４種類のファクタを確定することができる。ＧＣ−ＴｏＦ測定の場合は、異性体構造がしばしば特定されない一方で、各データ信号の炭素数、ＤＢＥ、組成およびヘテロ原子含有量は明確にされる。よって、このデータタイプでは、データ信号の異性体構成内容が不明である（曖昧さ）。
ｄ）「定性的」な情報は、上記のうちの３種類のファクタを確定することができる。一例はＦＴ−ＩＣＲ  ＭＳ法（ＡＰＰＩ、ＥＳＩ＋、ＥＳＩ−）であり、絶対的な組成および異性体の種類は確定されない一方で、各データ信号の炭素数、ＤＢＥおよびヘテロ原子含有量については判明する。この種のデータでは、データ信号の異性体構成内容および組成が不明である。
ｅ）「伝統的な分析データ」情報は、上記のうちの１種類のファクタしか明確となり得ない。例えば、硫黄分と窒素分のデータを用いてヘテロ原子含有量を推測するということは可能である。
【０１６２】
（信号群）
前段落で説明したような一部の種類の実験データの曖昧さが原因となり、データ信号をＭＣライブラリ内の１つ以上の特定の化合物に対して直接マッピングすることができない。本発明の実施形態では、データ信号（特に、曖昧さを有するデータ信号）のモデル化を促すための信号群が生成される。信号群とは、処理対象の分析データの種類及び品質並びに使用する概念的セグメント確率分布関数に基づいて設定された条件に合致する、モデル化合物ライブラリから選び出された、１つ以上のモデル化合物を含むモデリング構築物である。化合物の正確な素性を含むＧＣ−ＭＳデータなどの直接的なデータでの信号群は、モデル化合物ライブラリから選び出された、同じ素性を有する化合物を含む。集合のＧＳ−ＭＳデータなどの直接的なデータでの信号群は、同じ化合物群及び同じ炭素数を有する複数のモデル化合物を含む。ＧＣ−ＴｏＦデータなどの定量的な分子レベルデータでの信号群は、同じ化合物群、同じ炭素数及び同じ二重結合当量を有する複数のモデル化合物を含む。ＦＴ−ＩＣＲ−ＭＳデータなどの定性的な分子レベルデータでの信号群は、当該データの少なくとも一部に対してＡｓｐｅｎ分布が用いられた場合、同じ化合物群、同じ炭素数及び同じ二重結合当量を有する複数のモデル化合物を含む。また、この種のデータでの信号群は、当該データの少なくとも一部を表すのにガンマ分布または一様な分布が用いられた場合、同じ化合物群、同じ炭素数、同じ一分岐メチレン数、同じ二分岐メチレン数、同じ芳香族側環数及び同じナフテン側環数を有する複数のモデル化合物を含む。伝統的な分析データでの信号群は、同じ化合物群、同じ炭素数、同じ一分岐メチレン数、同じ二分岐メチレン数、同じ芳香族側環数及び同じナフテン側環数を有する複数のモデル化合物を含む。一つ又は複数のモデル化合物を一つの信号群に割り当てる際、直接的なデータは直接的な集合データよりも優先度が高く、直接的な集合データは定量的な分子レベル分析データよりも優先度が高く、定量的な分子レベルデータは定性的な分子レベル分析データよりも優先度が高く、定性的な分子レベル分析データは伝統的な分析データよりも優先度が高い。モデル化合物を信号群に各自割り当てることのできる様々な優先度の分析データが存在している場合、モデル化合物を信号集団に割り当てるのには、最も高い優先度の分析データが用いられる。
【０１６３】
信号群の物理的特性は、構成化合物の特性から求められる。信号群の化学式、ＣＮおよび元素含有量は、構成化合物一つぶんのそれと同じとされる。蒸気圧、標準沸点、液体密度および他の特性は、構成化合物の組成および特性から算出される。
【０１６４】
（確率分布を用いた、信号群及び分子の選択）
アルゴリズムが、表４の概念的セグメントの確率、および構成化合物群の相対的な化合物群重量を求める。これらは、信号集団を生成して当該信号群の組成を算出するのに用いられる。
【０１６５】
「一様」の計算選択肢は、セグメント数の関数としての概念的セグメントタイプの確率分布に、均等な確率分布を選択する。図１０Ａに、「一様」な関数を使用することによって生じる分布の一例を示す。一様な分布関数は、伝統的な分析データを処理するのに用いられたり、定性的な分子レベルデータの不足分を補うのに用いられたりする。
【０１６６】
【数２９】
0006887562.tif 000053
【０１６７】
（式中、ｐ（ｎ）はセグメント数ｎでの確率であり、ｎはセグメント数であり、ｎｔｏｔは分布におけるセグメントの総数である。）
【０１６８】
「ガンマ」の計算選択肢は、セグメント数の関数としての概念的セグメントタイプの確率分布に、ガンマ確率分布を選択する。その元となる式は、
【０１６９】
【数３０】
0006887562.tif 000054
【０１７０】
で表すことができる。
（式中、ｐ（ｎ）はセグメント数ｎでの確率であり、ｎはセグメント数であり、Ｌは確率関数の開始位置であり、αは形状係数パラメータであり、βは尺度パラメータであり、Γはガンマ関数である。）
この式は、ユーザインターフェースにおいて直交とされ、最頻値と標準偏差σとの関数とされる。図１０Ｂに、最頻値パラメータとσパラメータとが指定されたガンマ分布関数の一例が見受けられる。ガンマ分布関数は、伝統的な分析データを処理するのに用いられたり、定性的な分子レベルデータの不足分を補うのに用いられたりする。本明細書では、最頻値パラメータや標準偏差σパラメータをセグメント分布パラメータとも称する。
【０１７１】
「Ａｓｐｅｎ」の計算選択肢は、概念的セグメントの確率分布に、ＧＣ  ＦＩ−ＴｏＦデータなどの定量的な分子レベルデータやＡＰＰＩ／ＥＳＩ＋／ＥＳＩ−  ＦＴ  ＩＣＲ−ＭＳデータなどの定性的な分子レベルデータを整数値セグメント数での確率分布値へと変換する確率分布を選択する。図１０Ｃに、「Ａｓｐｅｎ」関数を用いた分布の一例を示す。図１１Ａは、ＥＳＩ＋  ＦＴ−ＩＣＲ  ＭＳからの実験データを、炭素数−ＤＢＥの信号強度プロットの形態で表したものである。図１１Ｂは、ＥＳＩ＋  ＦＴ−ＩＣＲ  ＭＳからのこの同じ実験データを、炭素数分布の形態で表したものである。アルゴリズムは、この種のデータが存在するとき、測定結果からの実験信号強度を、実験データに適合した正規化分布へと変換する。図１２に、炭素数分布をモデル化するのに用いた、結果的な「Ａｓｐｅｎ」関数を示す。Ａｓｐｅｎ分布関数は、次のように表される。
【０１７２】
【数３１】
0006887562.tif 000055
【０１７３】
（式中、ｐ（ｎ）はセグメント数ｎでの確率であり、Ｉｎｔｅｎｓｉｔｙｎはｎでの実験データ信号強度である。ΣＩｎｔｅｎｓｉｔｙは全測定値での信号強度の合計である。）
本明細書では、Ａｓｐｅｎ分布の確率の数値をセグメント分布値とも称する。
【０１７４】
アルゴリズムは、定量的又は定性的な分子レベルデータからＡｓｐｅｎ分布関数の確率を（対象の範囲内に複数の構成カットデータがある場合にはこれらの合成を構築して）求める。図１３の左側には実験データを示し、同図の右側には「Ａｓｐｅｎ」関数を用いた処理データを示す。
【０１７５】
アルゴリズムは、Ａｓｐｅｎ分布をガンマ分布と組み合わせて確率を求める。
【０１７６】
アルゴリズムは、ＧＣ−ＭＳデータをＡｓｐｅｎ分布やガンマ分布と組み合わせて信号群の組成を決定する。
【０１７７】
アルゴリズムは、図１４に示すように且つ「実験データの処理」の欄で説明したように、用意されたデータを用いて且つデータの種類及びデータの分子詳細の度合いに基づいて、試料の分子キャラクタリゼーション結果を生成する。曖昧さが小さいデータは、曖昧さが大きいデータよりも優先される。
【０１７８】
図１５に、ＣＮ＝１６の９種類の炭化水素化合物を含む理論的試料についての、データ信号処理ヒューリスティクスを示す。得られるデータの品質が相異なる様々な測定手法を用いることから、本発明のアルゴリズムにより求められる信号群自体も結果として相異なったものになる。
ａ）上記９種類の化合物の組成及び素性を確定した「直接的」な純粋構成成分データを提供する測定手法を用いた場合、処理目的上、各々の化合物は信号群として扱われ、当該信号群の組成が測定組成値に固定される。
ｂ）Ｃ１６集合という組成までしか分からない「直接的」な構成成分集合データを提供する測定手法を用いた場合、上記９種類の異性体化合物を含む一つの信号群が生成される。当該信号群の組成は、化合物集合の測定組成値に固定される。この信号群内のこれら９種類の異性体化合物の組成は、最初、化合物集合の測定組成を９で割ったものに設定される。
ｃ）炭素数、ＤＢＥ、組成及びヘテロ原子含有量を含む「定量的」なデータを提供する測定手法を用いた場合、３つの信号群が生成される。各々の信号群は、それぞれ、ＤＢＥ＝９、ＤＢＥ＝８、ＤＢＥ＝７の化合物を含んでいる。各信号群の組成は、ＣＮ＝１６、ＤＢＥ＝それぞれの値である各データ信号の、測定信号強度（すなわち、測定組成）に固定される。各信号群内の異性体化合物の組成は、最初、各データ信号の組成を構成異性体化合物の数（１番目の信号群では２、２番目の信号群では５、３番目の信号群では２）で割ったものに設定される。
ｄ）炭素数、ＤＢＥ，相対組成及びヘテロ原子含有量を含む「定性的」なデータを提供する測定手法を用いた場合、３つの信号群が生成される。各々の信号群は、それぞれ、ＤＢＥ＝９、ＤＢＥ＝８、ＤＢＥ＝７の化合物を含んでいる。各データ信号の正確な組成が分からないので、各信号群の組成を固定することはできないが、図６に示すアルゴリズムの一部としての物質収支及びデータ回帰によって当該組成が求まる。
ｅ）「伝統的な分析データ」を提供する測定手法を用いた場合、環数により特徴付けられる２つの信号群がガンマ分布関数を用いて生成される。１番目の信号群は、ＣＮ＝１６、芳香族環＝２、ナフテン環＝１の化合物を含んでいる。２番目の信号群は、ＣＮ＝１６、芳香族環＝２の化合物を含んでいる。信号群の組成は、図６に示すように物質収支及びセグメント分布パラメータの回帰によって求まる。
【０１７９】
アルゴリズムは、様々なデータタイプから求められた信号群組成同士を、データの品質／正確さおよび試料の構成留分の収量に基づいて調和することにより、当該試料の分子キャラクタリゼーション結果を生成する。その調和過程にて、１６０℃〜２００℃の沸点範囲では、図６及び図８に示すように、ＧＣ−ＭＳからの「直接的」なデータがＧＣ−ＴｏＦからの「定量的」なデータよりも優先される。２００℃〜３５０℃の範囲では、ＧＣ−ＴｏＦが最も高い優先度を保持し、当該ＧＣ−ＴｏＦは「定性的」なＦＴ−ＩＣＲ  ＭＳデータや伝統的な分析データにより補充され得る。３５０℃超の範囲では、他に高度な分析データが存在しないことから「定性的」なＦＴ−ＩＣＲ  ＭＳデータが優先されて、かつ、当該ＦＴ−ＩＣＲ  ＭＳデータは「伝統的」な分析データにより補充され得る。最後に、（原油又は石油留分の）試料組成が１００％に正規化される。
【０１８０】
分析内における石油留分のＧＣ−ＴｏＦデータやＦＴ−ＩＣＲ−ＭＳデータは、当該石油留分の対応する収量（体積又は重量）に比例して重み付けされる。
【０１８１】
アルゴリズムは、信号群が決まると、信号群内の個々の構成化合物の組成を算出する。各信号群ごとに、その中の化合物には、その構造に基づいた特性値（本明細書では構造密度指数とも称する）が割り当てられる。構造密度指数を順番どおりに並べると、化合物が、しばしば、最小の沸点・密度から最大の沸点・密度への順番で並ぶことになる。構造密度指数は、図１６に示すようにガンマ分布関数を用いて表される。試料の全信号群における全化合物を表すのに、分布関数が一つだけ用いられてもよい。あるいは、試料のうちの一つのカット（留分）内の信号群の化合物を表す分布関数が複数用いられてもよい。
一つの信号群内の構成化合物の組成を算出するには、所与の化合物ごとに、割り当てられている当該化合物の構造密度指数値を用いて、図１６に示すような且つ表６に記載するような分布関数及びパラメータを使って確率値を求める。各化合物の構造密度確率分布値は、正規化されたあと同信号群の組成でスケーリングされる。これにより、同信号群内の全化合物の組成一式が得られる。
【０１８２】
【数３２】
0006887562.tif 000056
【０１８３】
（式中、ｘｃは信号群内の化合物ｃの組成（モル分率）であり、ｐ（ｃ）は化合物ｃの構造密度指数確率値であり、ｘＳｉｇｎａｌ  Ｇｒｏｕｐは信号群の組成（モル分率）である。）
アルゴリズムは、信号群の組成を一定に維持する。得られた化合物組成同士は、同じ信号群内で合計した場合、信号群組成調和過程で設定された当該信号群の総組成と等しくなる。
【０１８４】
【数３３】
0006887562.tif 000057
【０１８５】
表６：図１６に示す分布関数を用いた、信号群内の個々の化合物組成の理論的計算
（なお、図１６には、表６における２個目の信号群に割り当てられた５つの化合物を追記している。）
【０１８６】
【表７】
0006887562.tif 000058
0006887562.tif 000059
【０１８７】
アルゴリズムは、分析手法が試料全体について純粋化合物の「直接的」な素性及び組成を生成可能なものである場合、全信号群内の全構成成分の組成が測定結果から分かるのでこのステップを飛ばしてもよい。
【０１８８】
（目的関数）
一部の実施形態では、実験データが取集されて、原油又は石油留分の「分子プロファイル」を特定するための回帰手順に利用される。この回帰手順は、非線形最小二乗法アルゴリズムを用いて、以下に定義する残差平均平方二乗誤差（ＲＲＭＳＥ）目的関数を最小化するものである。
【０１８９】
【数３４】
0006887562.tif 000060
【０１９０】
（式中、ＺＭは測定された（実験）物理的特性・化学的特性（「実験データの処理」の欄を参照のこと）であり、Ｚは算出値であり、σは標準偏差であり、ｉはデータ点の番号であり、ｋはデータ点の総数であり、ｊはデータ点での測定変数（例えば、カット収量、密度、硫黄分等）であり、ｍはデータ点での測定変数の数であり、ｎは調節可能なパラメータの総数である。）
調節可能なパラメータは、一部の選択された概念的セグメントのガンマ分布関数の最頻値及び標準偏差σであり得る。また、調節可能なパラメータは、信号群内の構成化合物の組成の算出に用いられる構造密度指数のガンマ分布関数の最頻値及び標準偏差σを含み得る。
【０１９１】
（コンピュータへの実装）
図１７に、本発明が実現され得るコンピュータネットワーク又は同様のデジタル処理環境を示す。
【０１９２】
少なくとも１つのクライアントコンピュータ／装置５０および少なくとも１つのサーバコンピュータ６０は、アプリケーションプログラムなどを実行する処理装置、記憶装置および入出力装置を提供する。少なくとも１つのクライアントコンピュータ／装置５０は、さらに、他のコンピューティングデバイス（他のクライアント装置／プロセス５０および１つ以上の他のサーバコンピュータ６０を含む）へと通信ネットワーク７０を介して接続され得る。通信ネットワーク７０は、リモートアクセスネットワーク、グローバルネットワーク（例えば、インターネット等）、世界中のコンピュータの集まり、ローカルエリア又はワイドエリアネットワーク、および現在それぞれのプロトコル（ＴＣＰ／ＩＰ、Ｂｌｕｅｔｏｏｔｈ（登録商標）など）を用いて互いに通信するゲートウェイの一部であり得る。それ以外の電子デバイス／コンピュータネットワークアーキテクチャも好適である。
【０１９３】
図１８は、図１７のコンピュータシステムにおけるコンピュータ（例えば、クライアントプロセッサ／装置５０、サーバコンピュータ６０等）の内部構造の図である。それぞれのコンピュータ５０，６０は、コンピュータ又は処理システムの構成要素間でのデータ伝送に利用される一連のハードウェアラインであるシステムバス７９を備える。バス７９は、本質的に、コンピュータシステムの相異なる構成要素（例えば、プロセッサ、ディスクストレージ、メモリ、入出力ポート、ネットワークポート等）同士を接続して当該構成要素間での情報の伝送を可能にする共有の導管である。システムバス７９には、様々な入出力装置（例えば、キーボード、マウス、ディスプレイ、プリンタ、スピーカ等）をコンピュータ５０，６０に接続するための入出力装置インターフェース８２が取り付けられている。ネットワークインターフェース８６は、コンピュータが、ネットワーク（例えば、図１７のネットワーク７０等）に取り付けられた様々な他の装置へと接続することを可能にする。メモリ９０は、本発明の一実施形態（例えば、詳細に前述・後述する仮想分析ンジン、原油分析モデラ、支援コード７００等）を実現するように用いられるコンピュータソフトウェア命令９２およびデータ９４を記憶する揮発性の記憶部である。ディスクストレージ９５は、本発明の一実施形態を実現するように用いられるコンピュータソフトウェア命令９２およびデータ９４を記憶する不揮発性の記憶部である。システムバス７９には、さらに、コンピュータ命令を実行する中央演算処理装置８４が取り付けられている。
【０１９４】
一実施形態において、プロセッサルーチン９２及びデータ９４は、コンピュータプログラムプロダクト（概して符号９２で表す）である。当該コンピュータプログラムプロダクトは、本発明のシステム用のソフトウェア命令の少なくとも一部を提供するコンピュータ読取り可能媒体（例えば、少なくとも１つのＤＶＤ−ＲＯＭ、ＣＤ−ＲＯＭ、ディスケット、テープなどの取外し可能な記憶媒体等）を含む。コンピュータプログラムプロダクト９２は、当該技術分野において周知である任意の適切なソフトウェアインストール方法によってインストールされることが可能なものであり得る。また、他の実施形態では、前記ソフトウェア命令の少なくとも一部が、ケーブルおよび／または通信および／または無線接続を介してダウンロードされるものであり得る。他の実施形態において、本発明のプログラムは、伝播媒体における伝播信号（例えば、電波、赤外線波、レーザ波、音波、インターネットなどのグローバルネットワーク又は他の少なくとも１つのネットワークによって伝播される電気波等）に組み込まれた、コンピュータプログラム伝播信号プロダクト１０７である。このような搬送媒体又は信号が、本発明のルーチン／プログラム９２用のソフトウェア命令の少なくとも一部を提供する。
【０１９５】
代替的な実施形態では、前記伝播信号が、伝播媒体で搬送されるアナログ搬送波又はデジタル信号である。例えば、前記伝播信号は、グローバルネットワーク（例えば、インターネット等）、電気通信網又は他のネットワークによって伝播されるデジタル化された信号であり得る。一実施形態では、前記伝播信号が、ある期間のあいだ前記伝播媒体によって送信される信号であり、例えば、数ミリ秒、数秒、数分又はそれ以上の期間のあいだネットワークによってパケットで送信される、ソフトウェアアプリケーション用の命令等である。他の実施形態において、コンピュータプログラムプロダクト９２の前記コンピュータ読取り可能媒体は、コンピュータシステム５０が受け取って読み取りし得る伝播媒体である。例えば、コンピュータシステム５０は、前述したコンピュータプログラム伝播信号プロダクトの場合のように、伝播媒体を受け取ってその伝播媒体に組み込まれた伝播信号を特定する。
【０１９６】
一般的に、「搬送媒体」又は過渡キャリアという用語は、前述した過渡的信号、伝播信号、伝播媒体、記憶媒体などを包含する。
【０１９７】
図６は、原油又は石油留分を含む試料の化学組成をキャラクタリゼーションする、コンピュータに実装される方法の例的な一実施形態のフロー図（プロセッサルーチン）１４００である。
【０１９８】
ステップ１４１０にて、コンピュータシステム５０，６０又はプロセッサは、原油又は石油留分を含む所与の試料についての、少なくとも１種のガスクロマトグラフィー・質量分析法データと伝統的な分析データとを含む、分析データを受け取る。
【０１９９】
ステップ１４２０にて、コンピュータシステム５０，６０又はプロセッサは、前記分析データを直接的なデータ（例えば、ＧＣ−ＭＳデータ等）と、定量的な分子レベルデータ（例えば、ＧＣ−ＴｏＦデータ等）と、定性的な分子レベルデータ（例えば、ＦＴ−ＩＣＲ−ＭＳデータ等）と、伝統的な分析データとに処理、特定及び分類し、さらには、各データタイプを処理する。
【０２００】
ステップ１４２２にて、コンピュータシステム５０，６０又はプロセッサは、前記分析データがＧＣ−ＭＳデータなどの直接的なデータを含むか否かを判定する。このようなデータが存在する場合には、前記システムが、ステップ１４３２でのデータの処理に進む。直接的なデータが存在しない場合には、前記システムが、ステップ１４２３での次のデータタイプへと進む。
【０２０１】
ステップ１４２３にて、コンピュータシステム５０，６０又はプロセッサは、前記分析データがＧＣ−ＴｏＦデータなどの定量的な分子レベルデータを含むか否かを判定する。このようなデータが存在する場合には、前記システムが、ステップ１４３３でのデータの処理に進む。定量的なデータが存在しない場合には、前記システムが、ステップ１４２４での次のデータタイプへと進む。
【０２０２】
ステップ１４２４にて、コンピュータシステム５０，６０又はプロセッサは、前記分析データがＦＴ−ＩＣＲ−ＭＳデータなどの定性的な分子レベルデータを含むか否かを判定する。このようなデータが存在する場合には、前記システムが、ステップ１４３４でのデータの処理に進む。定性的なデータが存在しない場合には、前記システムが、ステップ１４２５での次のデータタイプの処理に進む。
【０２０３】
ステップ１４２５にて、コンピュータシステム５０，６０又はプロセッサは、前記分析データが伝統的な分析データを含むか否かを判定する。このようなデータが存在する場合には、前記システムが、ステップ１４３５でのデータの処理に進む。
【０２０４】
ステップ１４３０にて、コンピュータシステム５０，６０又はプロセッサは、ステップ１４２０で直接的なデータと定性的な分子レベルデータと定性的な分子レベルデータと伝統的な分析データとに分類された、特定済みの生分析データの変換を開始する。ステップ１４３１で説明する化合物ライブラリが、ステップ１４３２、ステップ１４３３、ステップ１４３４及びステップ１４３５での上記データタイプの各処理の入力として利用される。
【０２０５】
ステップ１４３１にて、コンピュータシステム５０，６０又はプロセッサ１４００は、例えばＭＣライブラリ等の化合物ライブラリを用意する。化合物ライブラリは、原油又は石油留分中に存在し得る分子種（species）を表す化合物群をカバーした、複数の化合物からなる。当該ライブラリは、さらに、「化合物ライブラリ」の欄や「特性の推定」の欄で説明した、化合物の物理的特性データや化学的特性データを含む。化合物ライブラリは、メモリにロードされてステップ１４３２、ステップ１４３３、ステップ１４３４及びステップ１４３５、ならびにこの情報を必要とする後続の他のステップで利用される。
【０２０６】
ステップ１４３２にて、コンピュータシステム５０，６０又はプロセッサは、直接的な（例えば、ＧＣ−ＭＳ等）データを用いて前記化合物ライブラリ（ステップ１４３１）から、前記直接的なデータで特定された化合物と合致する純粋化合物を選択する。前記直接的なデータが集合データであれば、当該集合を表す信号群が生成される。
【０２０７】
ステップ１４３３にて、コンピュータシステム５０，６０又はプロセッサは、定量的な分子レベルデータ（例えば、ＧＣ−ＴｏＦデータ等）を用いて当該データ（信号強度、炭素数およびＤＢＥ）をＡｓｐｅｎ分布へと変換する。
【０２０８】
ステップ１４３４にて、コンピュータシステム５０，６０又はプロセッサは、定性的な分子レベルデータ（例えば、ＦＴ−ＩＣＲ−ＭＳデータ等）を用いて当該データ（信号強度、式、炭素数およびＤＢＥ）をＡｓｐｅｎ分布・ガンマ分布、または一様なセグメント分布へと変換する。
【０２０９】
ステップ１４３５にて、コンピュータシステム５０，６０又はプロセッサは、伝統的な分析データを処理する。
【０２１０】
ステップ１４４０にて、コンピュータシステム５０，６０又はプロセッサは、ステップ１４３０から得られた処理データと（ステップ１４４１で説明する）概念的セグメントライブラリとを用いて、組成、化合物群重量、概念的セグメントタイプおよびセグメント分布を設定する。
【０２１１】
ステップ１４４１にて、コンピュータシステム５０，６０又はプロセッサは、「化合物の選択およびＵＩセグメントの選択」の欄で説明した、一群の概念的セグメントタイプ及びセグメント数の範囲（概念的セグメントライブラリ）を用意する。当該概念的セグメントライブラリは、メモリにロードされてステップ１４４３、ステップ１４４４及びステップ１４４５で利用される。
【０２１２】
ステップ１４４２にて、コンピュータシステム５０，６０又はプロセッサは、直接的なデータが化合物の素性を含むものであれば、化合物の絶対的な組成を設定して当該直接的なデータ（例えば、ＧＣ−ＭＳデータ等）を処理する。前記直接的なデータが集合データである場合には、ステップ１４３２で生成された信号群の絶対的な組成を設定する。
【０２１３】
ステップ１４４３にて、コンピュータシステム５０，６０又はプロセッサは、さらに、定量的な分子レベルデータ（例えば、ＧＣ−ＴｏＦデータ等）を、化合物群重量、概念的セグメントタイプおよびセグメント分布を設定することで処理する。
【０２１４】
ステップ１４４４にて、コンピュータシステム５０，６０又はプロセッサは、さらに、定性的な分子レベルデータ（例えば、ＦＴ  ＩＣＲ−ＭＳデータ等）を、概念的セグメントタイプ、セグメント分布、および化合物群重量の初期値を設定することで処理する。定性的なデータに関しては、ステップ１４５６及びステップ１４７６で説明する反復的過程を用いて、化合物群重量およびセグメント分布が求められる。
【０２１５】
ステップ１４４５にて、コンピュータシステム５０，６０又はプロセッサは、さらに、伝統的な分析データを、概念的セグメントタイプ、セグメント分布の初期値、および化合物群重量の初期値を設定することで処理する。
【０２１６】
ステップ１４５０にて、コンピュータシステム５０，６０又はプロセッサは、ステップ１４３１のライブラリ、ステップ１４４０からの情報、および関連するステップを用いて、化合物群重量、ならびにセグメント分布値および／またはセグメント分布パラメータから化合物の組成や信号群の組成を算出する。
【０２１７】
ステップ１４５２にて、コンピュータシステム５０，６０又はプロセッサは、前記直接的なデータにより設定された化合物の絶対的な組成や信号群の絶対的な組成を固定する。
【０２１８】
ステップ１４５３にて、コンピュータシステム５０，６０又はプロセッサは、さらに、定量的な分子レベルデータ（例えば、ＧＣ−ＴｏＦデータ等）を、Ａｓｐｅｎ分布値及び化合物群重量から信号群の組成を算出して全信号群の組成を設定することで処理する。
【０２１９】
ステップ１４５４にて、コンピュータシステム５０，６０又はプロセッサは、さらに、定性的な分子レベルデータ（例えば、ＦＴ−ＩＣＲ−ＭＳデータ等）を、化合物群重量及び／又はＡｓｐｅｎ分布値及び／又はセグメント分布パラメータから信号群の組成を算出して全信号群の相対組成を設定することで処理する。定性的なデータに関しては、信号群の算出された組成を絶対的な組成として扱うことができない。代わりに、データが示唆する当該組成の「相対」値が維持される。そのほか、ステップ１４５６及びステップ１４７６で説明する反復的過程を用いて、化合物群重量およびセグメントパラメータが求められる。
【０２２０】
ステップ１４５５にて、コンピュータシステム５０，６０又はプロセッサは、さらに、伝統的な分析データを、セグメント分布パラメータ及び化合物群重量から信号群の組成を算出して全信号群の相対組成を設定することで処理する。この種のデータは分子レベルデータを提供するものではないため、算出される組成は実際と大きく異なる可能性があり、ステップ１４５６及びステップ１４７６で説明するように更に調節される。
【０２２１】
ステップ１４６０にて、コンピュータシステム５０，６０又はプロセッサは、これら４種類のデータタイプからの結果を、原油又は石油留分を表す組成へと調和させる。このステップでは、さらに、「信号群」の欄および「確率分布を用いた、信号群及び分子の選択」の欄で説明したヒューリスティクスに従って、化合物が信号群に割り当てられる。
【０２２２】
ステップ１４７０では、ステップ１４６０で決定された信号群の組成を用いて、かつ、ステップ１４３１のライブラリから得られた、構成化合物の物理的特性や化学的特性、および「特性の推定」の欄で説明した相関や手法を使って、試料の特性を算出する。試料の推定され得る物理的特性の例には、例えば、沸点、液体密度、液体粘度、これらの任意の組合せ等が含まれる。推定され得る化学的特性の例には、炭素分、水素分、酸素分、窒素分、硫黄分、バナジウム分、ニッケル分、これらの任意の組合せ等が含まれる。
【０２２３】
ステップ１４７１にて、コンピュータシステム５０，６０又はプロセッサは、信号群内の化合物の組成を、段落［０１２６］で説明した構造密度指数の分布関数から決定する。
【０２２４】
ステップ１４７２にて、コンピュータシステム５０，６０又はプロセッサは、構成信号群の物理的特性や化学的特性を用いて、試料の物理的特性や化学的特性を算出する。また、信号群の特性は、当該信号群の構成化合物の特性から算出される。化合物の特性は、ステップ１４３１の化合物ライブラリから、「特性の推定」の欄で説明した相関や手法を用いて得られる。
【０２２５】
ステップ１４７３にて、コンピュータシステム５０，６０又はプロセッサは、ステップ１４７２で推定された物理的特性や化学的特性と対応する実験データ値との間の誤差（すなわち、残差平均平方二乗誤差）を算出する。
【０２２６】
ステップ１４７６にて、コンピュータシステム５０，６０又はプロセッサは、ステップ１４７３の誤差が予め設定された許容範囲内であるか否かを確認する。確認の結果が肯定である場合には、システムがステップ１４８０へと進む。確認の結果が否定である場合には、システムがステップ１４５６に進んで化合物群重量、セグメント分布パラメータ、および構造密度指数の分布パラメータを調節し、かつ、ステップ１４５４、ステップ１４５５及び後続の関連するステップを反復して新たな信号群組成およびセグメント集団内の新たな化合物組成を決定する。
【０２２７】
ステップ１４５６にて、コンピュータシステム５０，６０又はプロセッサは、ステップ１４７３の誤差と非線形最小二乗法アルゴリズムを用いて、化合物群重量、セグメント分布パラメータ、および構造密度指数の分布パラメータについての新たな推定値を求める。これらの新たな推定値は、ステップ１４５４、ステップ１４５５及び後続の関連するステップの反復的過程において、新たな信号群組成およびセグメント集団内の新たな化合物組成を決定するのに用いられる。この反復的過程は、ステップ１４７６にて収束が達成されるまで繰り返される。
【０２２８】
ステップ１４８０にて、コンピュータシステム５０，６０又はプロセッサは、形成されたキャラクタリゼーション結果を集約して、エンドユーザに対して表形式や図形式で表示するように当該結果を入力する。
【０２２９】
ステップ１４８１にて、コンピュータシステム５０，６０又はプロセッサは、選択された化合物についての推定された化学的特性や物理的特性を表示し得る。
【０２３０】
ステップ１４８２にて、コンピュータシステム５０，６０又はプロセッサは、ステップ１４７３で得られた残差平均平方二乗誤差を表示し得る。
【０２３１】
ステップ１４８３にて、コンピュータシステム５０，６０又はプロセッサは、選択された化合物および組成を表示し得る。
【０２３２】
ステップ１４８４にて、コンピュータシステム５０，６０又はプロセッサは、全ての入力分析データタイプからの実験組成データを表示し得る。
【０２３３】
ステップ１４９０にて、コンピュータシステム５０，６０又はプロセッサは、処理を完了させて終了する。
【０２３４】
本明細書で引用した全ての特許、特許出願公開公報および刊行物は、その全教示内容を参照をもって取り入れたものとする。
【０２３５】
本発明を例的な実施形態を参照しながら具体的に図示・説明してきたが、当業者であれば、添付の特許請求の範囲に包含される本発明の範囲を逸脱しない範疇で形態や細部に様々な変更が施されてもよいことを理解するであろう。
なお、本発明は、実施の態様として以下の内容を含む。
［態様１］
コンピュータに実装される、原油又は石油留分を含む試料の化学組成をキャラクタリゼーションする方法であって、プロセッサにより、
（ｉ）前記試料の分子レベル分析データを含むか又は前記試料の分子レベル分析データと伝統的な分析データとを含む、分析データを受け取る過程と、
（ｉｉ）ａ）前記試料の前記分子レベル分析データに基づく絶対的な化合物組成を、かつ／あるいは、ｂ）前記分子レベル分析データの少なくとも一部に基づいて、第１の化合物群および第１の化合物群重量、第１の概念的セグメントタイプ、ならびに第１のセグメント分布を、かつ／あるいは、ｃ）前記試料の前記伝統的な分析データを受け取っていれば、当該伝統的な分析データの少なくとも一部に基づいて、第２の化合物群および第２の化合物群重量、第２の概念的セグメントタイプ、ならびに第２のセグメント分布を、設定する過程と、
（ｉｉｉ）ａ）絶対的な化合物組成を、かつ／あるいは、ｂ）前記分子レベルデータの少なくとも一部に基づいて設定された、前記第１のセグメント分布を表す第１のセグメント分布値と第１の化合物群重量とから第１の化合物組成を、かつ／あるいは、ｃ）前記試料の前記伝統的な分析データを受け取っていれば、当該伝統的な分析データに基づいて設定された、前記第２のセグメント分布を表す第２のセグメント分布パラメータと第２の化合物群重量とから第２の化合物組成を、決定する過程と、
（ｉｖ）ａ）前記絶対的な化合物組成および／またはｂ）前記第１の化合物組成および／またはｃ）第２の化合物組成を調和させることにより、調和済みの化合物組成を得る過程と、
（ｖ）前記分子レベル分析データが定性的な分子レベル分析データおよび／または伝統的な分析データを含むものである場合、前記調和済みの化合物組成について求められた物理的特性および／または化学的特性が受け取った対応する分析データと合致するまで第１の化合物群重量、第２の化合物群重量および第２のセグメント分布パラメータを調節することにより、洗練化された化合物組成を得る過程と、
を備え、これによって前記試料の前記化学組成のキャラクタリゼーション結果を形成する、方法。
［態様２］
態様１に記載の方法において、前記絶対的な化合物組成が絶対的な信号群組成であり、前記第１の化合物組成が第１の信号群組成であり、前記第２の化合物組成が第２の信号群組成であり、前記化合物組成が信号群組成である、方法。
［態様３］
態様１または２に記載の方法において、前記分子分析データが、ガスクロマトグラフィー質量分析法（ＧＣ−ＭＳ）データ、ガスクロマトグラフィー時間飛行型質量分析法（ＧＣ−ＴｏＦ）データ、またはフーリエ変換イオンサイクロトロン共鳴型質量分析法（ＦＴ  ＩＣＲ−ＭＳ）データを含む、方法。
［態様４］
態様１または２に記載の方法において、前記分子分析データが、ガスクロマトグラフィー質量分析法（ＧＣ−ＭＳ）データ、ガスクロマトグラフィー時間飛行型質量分析法（ＧＣ−ＴｏＦ）データ、またはフーリエ変換イオンサイクロトロン共鳴型質量分析法（ＦＴ  ＩＣＲ−ＭＳ）データである、方法。
［態様５］
態様１から４のいずれかに記載の方法において、前記ＦＴ  ＩＣＳ−ＭＳデータが、大気圧光イオン化法（ＡＰＰＩ）ＦＴ−ＩＣＲ  ＭＳデータ、エレクトロスプレー負イオン化法（ＥＳＩ−）ＦＴ−ＩＣＲ  ＭＳデータ、またはエレクトロスプレー陽イオン化法（ＥＳＩ＋）ＦＴ−ＩＣＲ  ＭＳデータである、方法。
［態様６］
態様１から５のいずれかに記載の方法において、前記ＧＣ−ＭＳデータが、水素炎イオン化検出器ガスクロマトグラフィー（ＧＣ−ＦＩＤ）データである、方法。
［態様７］
態様１から６のいずれかに記載の方法において、前記分子レベルデータがＧＣ−ＭＳデータを含み、当該方法が、さらに、
前記ＧＣ−ＭＳデータに基づいて、化合物ライブラリから純粋化合物を選択する過程、
を備える、方法。
［態様８］
態様１から７のいずれかに記載の方法において、ＧＣ−ＭＳデータから、化合物の素性および前記絶対的な化合物組成が決定される、方法。
［態様９］
態様１から８のいずれかに記載の方法において、前記分子レベルデータが直接的なデータを含み、当該方法は、さらに、
（１）前記直接的なデータに基づいて、化合物ライブラリから純粋化合物を選択する過程と、
（２）絶対的な化合物組成を設定する過程と、
（３）絶対的な化合物組成を算出する過程と、
を備える、方法。
［態様１０］
態様１から９のいずれかに記載の方法において、前記分子レベルデータがＧＣ−ＴｏＦデータを含み、当該方法は、さらに、
ＧＣ−ＴｏＦ信号強度データ、および／または、ＧＣ−ＴｏＦデータから導き出された炭素数、および／または、ＧＣ−ＴｏＦデータから導き出されたＤＢＥを、Ａｓｐｅｎ分布に変換する過程、
を備える、方法。
［態様１１］
態様１から１０のいずれかに記載の方法において、さらに、
ＧＴ−ＴｏＦデータから求められたＡｓｐｅｎ分布に基づいて、第１の化合物群重量、第１の概念的セグメントタイプ、および第１のセグメント分布を設定する過程、
を備える、方法。
［態様１２］
態様１から１１のいずれかに記載の方法において、さらに、
ＧＣ−ＴｏＦデータから導き出された化合物群重量、ＧＣ−ＴｏＦデータから導き出されたセグメントタイプ、およびＧＣ−ＴｏＦデータから導き出されたセグメント分布値から、ＧＣ−ＴｏＦベースの化合物組成を決定する過程、
を備える、方法。
［態様１３］
態様１から１２のいずれかに記載の方法において、前記第１の化合物組成が、ＧＣ−ＴｏＦデータから決定された化合物組成、つまり、ＧＣ−ＴｏＦベースの化合物組成を含む、方法。
［態様１４］
態様１１または１２に記載の方法において、前記ＧＣ−ＴｏＦベースの化合物組成が、前記調和済みの化合物組成の、受け取った対応する分析データと比べての物理的特性および／または化学的特性の違いに基づいて調節されない、方法。
［態様１５］
態様１から１４のいずれかに記載の方法において、前記分子レベルデータが定量的な分子レベル分析データを含み、当該方法は、さらに、
（１）前記定量的な分子レベル分析データから導き出された信号強度データ、および／または、定量的な分子レベル分析データから導き出された炭素数、および／または、定量的な分子レベル分析データから導き出されたＤＢＥを、Ａｓｐｅｎ分布に変換する過程と、
（２）前記定量的な分子レベル分析データから求められたＡｓｐｅｎ分布に基づいて、第１の化合物群重量、第１の概念的セグメントタイプ、および第１のセグメント分布を設定する過程と、
（３）定量的な分子レベル分析データから導き出された化合物群重量、定量的な分子レベル分析データから導き出されたセグメントタイプ、および定量的な分子レベル分析データから導き出されたセグメント分布値から、化合物組成を算出する過程と、
を備える、方法。
［態様１６］
態様１から１５のいずれかに記載の方法において、前記分子レベルデータがＦＴ−ＩＣＲ−ＭＳデータを含み、当該方法は、さらに、
ＦＴ−ＩＣＲ−ＭＳ信号強度データ、および／または、ＦＴ−ＩＣＲ−ＭＳから導き出された式、および／または、ＦＴ−ＩＣＲ−ＭＳから導き出された炭素数、および／または、ＦＴ−ＩＣＲ−ＭＳから導き出されたＤＢＥを、Ａｓｐｅｎ分布および／またはガンマ分布および／または一様なセグメント分布に変換する過程、
を備える、方法。
［態様１７］
態様１から１６のいずれかに記載の方法において、さらに、
ＦＴ−ＩＣＲ−ＭＳデータから導き出されたＡｓｐｅｎ分布および／またはガンマ分布および／または一様なセグメント分布に基づいて、前記第１の化合物群重量、前記第１の概念的セグメントタイプ、および前記第１のセグメント分布を設定する過程、
を備える、方法。
［態様１８］
態様１から１７のいずれかに記載の方法において、さらに、
ＦＴ  ＩＣＲ−ＭＳデータから導き出された化合物群重量、ＦＴ  ＩＣＲ−ＭＳデータから導き出されたセグメントタイプ、ならびにＦＴ  ＩＣＲ−ＭＳデータから導き出されたセグメント分布値および／またはセグメント分布パラメータから、ＦＴ  ＩＣＲ−ＭＳベースの化合物組成を決定する過程、
を備える、方法。
［態様１９］
態様１から１８のいずれかに記載の方法において、前記分子レベルデータが定性的な分子レベル分析データを含み、当該方法は、さらに、
（１）前記定性的な分子レベル分析データから導き出された信号強度データ、および／または、定性的な分子レベル分析データから導き出された式、および／または、定性的な分子レベル分析データから導き出された炭素数、および／または、定性的な分子レベル分析データから導き出されたＤＢＥを、Ａｓｐｅｎ分布および／またはガンマ分布および／または一様なセグメント分布に変換する過程と、
（２）定性的な分子レベル分析データから導き出されたＡｓｐｅｎ分布および／またはガンマ分布および／または一様なセグメント分布に基づいて、第１の化合物群重量、第１の概念的セグメントタイプ、および第１のセグメント分布を設定する過程と、
（３）定性的な分子レベル分析データから導き出された化合物群重量、定性的な分子レベル分析データから導き出されたセグメントタイプ、ならびに定性的な分子レベル分析データから導き出されたセグメント分布値および／またはセグメント分布パラメータから、化合物組成を算出する過程と、
を備える、方法。
［態様２０］
態様１から１９のいずれかに記載の方法において、前記第１の化合物組成が、ＦＴ  ＩＣＲ−ＭＳデータから決定された化合物組成、つまり、ＦＴ  ＩＣＲ−ＭＳベースの化合物組成を含む、方法。
［態様２１］
態様１９または２０に記載の方法において、前記ＦＴ  ＩＣＲ−ＭＳベースの化合物組成が、前記調和済みの化合物組成の、受け取った対応する分析データと比べての物理的特性および／または化学的特性の違いに基づいて調節される、方法。
［態様２２］
態様１から２１のいずれかに記載の方法において、前記第１の化合物組成がＦＴ  ＩＣＲ−ＭＳベースの化合物組成であり、前記第２の化合物組成が伝統的な分析データから決定される、方法。
［態様２３］
態様２２に記載の方法において、前記調和済みの化合物組成について求められた物理的特性および／または化学的特性が受け取った対応する分析データと合致するまで、前記ＦＴ  ＩＣＲ−ＭＳベースの化合物組成および前記第２の化合物組成のみが調節される、方法。
［態様２４］
態様１から２３のいずれかに記載の方法において、受け取った前記分析データが、伝統的な分析データを含む、方法。
［態様２５］
態様１から２４のいずれかに記載の方法において、前記伝統的な分析データが、蒸留曲線データ、密度曲線データ、硫黄曲線データ、塩基性窒素曲線データ、総窒素曲線データ、ＣＨ比曲線データ、全酸価曲線データ、ＰＩＯＮＡ分曲線データ、粘度曲線データ、ニッケル分曲線データ、およびバナジウム分曲線データのうちの少なくとも１つを含む、方法。
［態様２６］
態様１から２５のいずれかに記載の方法において、前記第１および第２の化合物群が、互いに独立して、パラフィン群、ナフテン群、芳香族群、オレフィン群、メルカプタン群、１個の硫黄原子を有するチオフェン・スルフィド群、２個の硫黄原子を有するチオフェン・スルフィド群、スルホキシド群、硫黄−酸素群、１個のピロールを有する中性窒素群、２個のピロール窒素を有する中性窒素群、中性窒素−硫黄群、中性窒素−酸素群、１個のピリジンを有する塩基性窒素群、ピリジンと別のピリジン又はピロールを有する塩基性窒素群、塩基性窒素−硫黄群、塩基性窒素−酸素群、フェノール群、パラフィン酸群、芳香族酸・ナフテン酸群、ニッケルポルフィリン群、およびバナジウムポルフィリン群のうちの少なくとも１つを含む、方法。
［態様２７］
態様１から２６のいずれかに記載の方法において、前記第１および第２の化合物群が、パラフィン群、ナフテン群、芳香族群、オレフィン群、メルカプタン群、１個の硫黄原子を有するチオフェン・スルフィド群、２個の硫黄原子を有するチオフェン・スルフィド群、スルホキシド群、硫黄−酸素群、１個のピロールを有する中性窒素群、２個のピロール窒素を有する中性窒素群、中性窒素−硫黄群、中性窒素−酸素群、１個のピリジンを有する塩基性窒素群、ピリジンと別のピリジン又はピロールを有する塩基性窒素群、塩基性窒素−硫黄群、塩基性窒素−酸素群、フェノール群、パラフィン酸群、芳香族酸・ナフテン酸群、ニッケルポルフィリン群、およびバナジウムポルフィリン群を含む、方法。
［態様２８］
態様２６または２７に記載の方法において、前記パラフィン群の概念的セグメントタイプが、総炭素数、一分岐メチレン、および二分岐メチレンを含む、方法。
［態様２９］
態様２６または２７に記載の方法において、前記ナフテン群の概念的セグメントタイプが、総炭素数、ナフテン側環、および六員環−対−五員環のモル比を含む、方法。
［態様３０］
態様２６または２７に記載の方法において、前記芳香族群の概念的セグメントタイプが、総炭素数、芳香族側環、およびナフテン側環を含む、方法。
［態様３１］
態様１から３０のいずれかに記載の方法において、前記分子レベルデータが、前記試料全体から得られたものである、方法。
［態様３２］
態様１から３１のいずれかに記載の方法において、前記分子レベルデータが、前記試料の少なくとも１つのカットから得られたものである、方法。
［態様３３］
態様１から３２のいずれかに記載の方法において、さらに、
原油又は石油留分を含む前記試料の前記化学組成の前記キャラクタリゼーション結果を出力する過程、
を備える、方法。
［態様３４］
態様１から３３のいずれかに記載の方法において、前記試料が、原油または石油留分である、方法。
［態様３５］
態様１から３４のいずれかに記載の方法において、ＦＴ  ＩＣＲ−ＭＳデータと伝統的な分析データとを受け取る、方法。
［態様３６］
態様１から３５のいずれかに記載の方法において、ＧＣ−ＭＳデータ、ＧＣ−ＴｏＦデータ、ＦＴ  ＩＣＲ−ＭＳデータ、および伝統的な分析データのうちの少なくとも２つを受け取る、方法。
［態様３７］
態様１から３６のいずれかに記載の方法において、ＧＣ−ＭＳデータ、ＧＣ−ＴｏＦデータ、ＦＴ  ＩＣＲ−ＭＳデータ、および伝統的な分析データのうちの少なくとも３つを受け取る、方法。
［態様３８］
態様１から３７のいずれかに記載の方法において、ＧＣ−ＭＳデータとＧＣ−ＴｏＦデータとＦＴ  ＩＣＲ−ＭＳデータと伝統的な分析データとを受け取る、方法。
［態様３９］
態様１から３８のいずれかに記載の方法において、定性的な分子レベル分析データと伝統的な分析データとを受け取る、方法。
［態様４０］
態様１から３９のいずれかに記載の方法において、直接的な分析データ、定量的な分子レベル分析データ、定性的な分子レベル分析データ、および伝統的な分析データのうちの少なくとも２つを受け取る、方法。
［態様４１］
態様１から４０のいずれかに記載の方法において、直接的な分析データ、定量的な分子レベル分析データ、定性的な分子レベル分析データ、および伝統的な分析データのうちの少なくとも３つを受け取る、方法。
［態様４２］
態様１から４１のいずれかに記載の方法において、直接的な分析データと定量的な分子レベル分析データと定性的な分子レベル分析データと伝統的な分析データとを受け取る、方法。
［態様４３］
態様１から４２のいずれかに記載の方法において、さらに、
前記試料の物理的特性又は化学的特性を、当該試料の、キャラクタリゼーションされた前記化学組成の関数として推定する過程、
を備える、方法。
［態様４４］
態様４３に記載の方法において、前記試料の、推定される前記物理的特性が、標準沸点、液体密度、液体粘度、コンラドソン残留炭素、リサーチ法オクタン価、モーター法オクタン価、セタン価、およびリード蒸気圧のうちの少なくとも１つを含む、方法。
［態様４５］
態様４３に記載の方法において、前記試料の化学的特性を推定する過程が、化学式から、硫黄分、塩基性窒素分、総窒素分、炭素分、水素分、ＣＨ比、ニッケル分、バナジウム分、酸素分、パラフィン分、イソパラフィン分、オレフィン分、ナフテン分、および芳香族分を含む、化学構造および化学組成を算出することを含む、方法。
［態様４６］
態様１から４５のいずれかに記載の方法において、伝統的な分析データを受け取る、方法。
［態様４７］
態様１から４６のいずれかに記載の方法において、さらに、
モデル化合物のライブラリを用意する過程、
を備える、方法。
［態様４８］
態様４７に記載の方法において、さらに、
モデル化合物の前記ライブラリからの１つ又は複数のモデル化合物に対して信号群を割り当てる過程、
を備える、方法。
［態様４９］
態様１から４６のいずれかに記載の方法において、さらに、
モデル化合物のライブラリからの１つ又は複数のモデル化合物に対して信号群を割り当てる過程、
を備える、方法。
［態様５０］
態様４８または４９に記載の方法において、モデル化合物の前記ライブラリからの、一つの信号群に該当する前記モデル化合物同士が、同じ化合物群、同じ炭素数および同じ二重結合当量を有する、方法。
［態様５１］
態様１から５０のいずれかに記載の方法において、前記試料が、ｉ）１〜１００の様々な炭素数とｉｉ）０〜５０の様々な二重結合当量数とを有する化合物を含む、方法。
［態様５２］
態様１から５１のいずれかに記載の方法において、受け取った前記分析データが、直接的なデータを含む分子レベル分析データを含み、当該方法は、さらに、
前記直接的なデータに基づいて、一つのモデル化合物を、特定の一つの信号群に割り当てる過程、
を備える、方法。
［態様５３］
態様１から５２のいずれかに記載の方法において、受け取った前記分析データが、直接的な集合データを含む分子レベル分析データを含み、当該方法は、さらに、
前記直接的な集合データに基づいて、同じ化合物群及び同じ炭素数である複数のモデル化合物を、一つの信号群に割り当てる過程、
を備える、方法。
［態様５４］
態様１から５３のいずれかに記載の方法において、受け取った前記分析データが定量的な分子レベル分析データを含み、当該方法は、さらに、
前記定量的な分子レベル分析データに基づいて、同じ化合物群、同じ炭素数及び同じ二重結合当量である複数のモデル化合物を、一つの信号群に割り当てる過程、
を備える、方法。
［態様５５］
態様１から５４のいずれかに記載の方法において、受け取った前記分析データが定性的な分子レベル分析データを含み、当該方法は、さらに、
前記定性的な分子レベル分析データの少なくとも一部を表すのにＡｓｐｅｎ分布が用いられた場合、当該データに基づいて、同じ化合物群、同じ炭素数及び同じ二重結合当量である複数のモデル化合物を、一つの信号群に割り当てる過程と、
前記定性的な分子レベル分析データの少なくとも一部を表すのにガンマ分布又は一様な分布が用いられた場合、当該データに基づいて、同じ化合物群、同じ炭素数、同じ一分岐メチレン数、同じ二分岐メチレン数、同じ芳香族側環数及び同じナフテン側環数である複数のモデル化合物を、一つの信号群に割り当てる過程と、
を備える、方法。
［態様５６］
態様１から５５のいずれかに記載の方法において、受け取った前記分析データが伝統的な分析データを含み、当該方法は、さらに、
前記伝統的な分析データに基づいて、同じ化合物群、同じ炭素数、同じ一分岐メチレン数、同じ二分岐メチレン数、同じ芳香族側環数及び同じナフテン側環数である複数のモデル化合物を、一つの信号群に割り当てる過程、
を備える、方法。
［態様５７］
態様１から５６のいずれかに記載の方法において、一つ又は複数のモデル化合物を一つの信号群に割り当てる過程にて、直接的なデータは直接的な集合データよりも優先度が高く、直接的な集合データは定量的な分子レベル分析データよりも優先度が高く、定量的な分子レベルデータは定性的な分子レベル分析データよりも優先度が高く、定性的な分子レベル分析データは伝統的な分析データよりも優先度が高く、モデル化合物を信号群に各自割り当てることのできる様々な優先度の分析データが存在している場合、モデル化合物を信号集団に割り当てるのには、最も高い優先度の分析データが用いられる、方法。
［態様５８］
態様１から５７のいずれかに記載の方法において、受け取った前記分析データが、直接的なデータを含む分子レベル分析データを含み、当該方法は、さらに、
前記直接的なデータに基づいて、第１のモデル化合物を第１の信号群に割り当てる過程、
を備える、方法。
［態様５９］
態様１から５８のいずれかに記載の方法において、受け取った前記分析データが、直接的な集合データを含む分子レベル分析データを含み、当該方法は、さらに、
前記直接的な集合データに基づいて、複数のモデル化合物を、直接的なデータに基づくモデル化合物の振当てが行われていない信号群へと割り当てる過程であって、これらのモデル化合物は、同じ化合物群及び同じ炭素数の信号群へと割り当てられる、過程、
を備える、方法。
［態様６０］
態様１から５９のいずれかに記載の方法において、受け取った前記分析データが定量的な分子レベル分析データを含み、当該方法は、さらに、
前記定量的な分子レベル分析データに基づいて、複数のモデル化合物を、直接的なデータ及び直接的な集合データのいずれに基づいてもモデル化合物の振当てが行われていない信号群へと割り当てる過程であって、これらのモデル化合物は、同じ化合物群、同じ炭素数及び同じ二重結合当量の信号群へと割り当てられる、過程、
を備える、方法。
［態様６１］
態様１から６０のいずれかに記載の方法において、受け取った前記分析データが定性的な分子レベル分析データを含み、当該方法は、さらに、
前記定性的な分子レベル分析データの少なくとも一部を表すのにＡｓｐｅｎ分布が用いられた場合、当該定性的な分子レベル分析データに基づいて、複数のモデル化合物を、直接的なデータ、直接的な集合データ及び定量的な分子レベル分析データのいずれに基づいてもモデル化合物の振当てが行われていない信号群へと割り当てる過程であって、これらのモデル化合物は、同じ化合物群、同じ炭素数及び同じ二重結合当量の信号群へと割り当てられる、過程と、
前記定性的な分子レベル分析データに基づいて、同じ化合物群、同じ炭素数、同じ一分岐メチレン数、同じ二分岐メチレン数、同じ芳香族側環数及び同じナフテン側環数である複数のモデル化合物を、直接的なデータ、直接的な集合データ、定量的な分子レベル分析データ、及び前記定性的な分子レベル分析データのうちのＡｓｐｅｎ分布を用いた少なくとも一部のいずれに基づいてもモデル化合物の振当てが行われていない信号群へと割り当てる過程と、
を備える、方法。
［態様６２］
態様１から６１のいずれかに記載の方法において、受け取った前記分析データが伝統的な分析データを含み、当該方法は、さらに、
前記伝統的な分析データに基づいて、複数のモデル化合物を、直接的なデータ、直接的な集合データ、定量的な分子レベル分析データ及び定性的な分子レベル分析データのいずれに基づいてもモデル化合物の振当てが行われていない信号群へと割り当てる過程であって、これらのモデル化合物は、同じ化合物群、同じ炭素数、同じ一分岐メチレン数、同じ二分岐メチレン数、同じ芳香族側環数及び同じナフテン側環数の信号群へと割り当てられる、過程、
を備える、方法。
［態様６３］
態様１から６２のいずれかに記載の方法において、さらに、
前記試料のカットに属する信号群内における構成化合物の構造密度指数を表した確率分布関数を用いて、信号群内の化合物組成を算出する過程、
を備える、方法。
［態様６４］
態様１から６３のいずれかに記載の方法において、さらに、
前記試料の全信号群内における構成化合物の構造密度指数を表した確率分布関数を用いて、信号群内の化合物組成を算出する過程、
を備える、方法。
【図１Ａ】
0006887562.tif 000061
【図１Ｂ】
0006887562.tif 000062
【図２】
0006887562.tif 000063
【図３】
0006887562.tif 000064
【図４】
0006887562.tif 000065
【図５】
0006887562.tif 000066
【図６】
0006887562.tif 000067
【図７】
0006887562.tif 000068
【図８】
0006887562.tif 000069
【図９】
0006887562.tif 000070
【図１０Ａ】
0006887562.tif 000071
【図１０Ｂ】
0006887562.tif 000072
【図１０Ｃ】
0006887562.tif 000073
【図１１Ａ】
0006887562.tif 000074
【図１１Ｂ】
0006887562.tif 000075
【図１２】
0006887562.tif 000076
【図１３】
0006887562.tif 000077
【図１４】
0006887562.tif 000078
【図１５】
0006887562.tif 000079
【図１６】
0006887562.tif 000080
【図１７】
0006887562.tif 000081
【図１８】
0006887562.tif 000082